(57)【要約】従来の携帯電話機で文字入力する場合は、親指のみを利用して文字入力するので、文字入力速度が遅い。本発明のように携帯電話機の両側面に１個のジョイスティックと２個のシフトキーと２６個のキーが備えられている携帯電話機で両手で把持し両手の指１０本を使用すると、シフトキーの切替無しでアルファベット２６文字のいずれの１文字も１回の押圧動作で入力でき、さらにブラインドタッチで文字入力できるので超高速で文字入力ができる。携帯電話機の通信手段としての新たな革新的分野が開け、ユーザーの大幅な利便性の向上が計れる。
2003042803.tif 000002
【特許請求の範囲】
【請求項１】
携帯電話機や小型のＰＤＡ機器（以下請求項１９まで携帯電話機や小型のＰＤＡ機器を「携帯電話機」と呼称）であって、左右で合計２個の概略直方体の筐体を連結した携帯電話機で、概略直方体の最も広い面に装備したディスプレイに向かって左側の筐体の左側面に５行３列で約１５個のキー、同筐体の右側面に５行３列で約１５個のキー、右側の筐体の左側面に６行３列で約１８個のキー、同筐体の右側面に少なくとも２個のシフトキーを含む約９個のキーと１組のジョイキー又はジョイスティック又は矢印キー又はその役目を果たす歯車式又はボール回転式等の入力手段（以下請求項１９まで、ジョイキー又はジョイスティック又は矢印キー又はその役目を果たす歯車式又はボール回転式等の入力手段を「ジョイスティック」と呼称）が備えられている携帯電話機で、両手共に親指と他の残りの４本の指との間で携帯電話機を挟んで把持し、両手１０本の指を常時ジョイスティックとキー（以下請求項１９まで、ジョイスティックとキーを「文字入力手段」と呼称）に配置するもので、左手の親指が左側の筐体の左側面のキーを、左手人差し指、中指、薬指及び小指が左側の筐体の右側面のキーを、右手の親指が右側の筐体の右側面のキーと１組のジョイスティックを、右手人差し指、中指、薬指及び小指が右側の筐体の左側面のキーを、押圧・操作できるように、合計約５７個のキーと１組のジョイスティックとを配置し、それぞれの指を目的の文字入力手段を押圧・操作することができるホームポジションに置き、指１０本のうち、任意の１本又は右手の親指と同時に他の残りの９本の指でキーに入力でき、シフトキー等の条件の切替無しで両手の指のうちのいずれか１本の１回の押圧動作で約４８文字のいずれの１文字も入力できることを特徴とする携帯電話機。
【請求項２】
携帯電話機であって、左右で合計２個の概略直方体の筐体を連結した携帯電話機で、概略直方体の最も広い面に装備したディスプレイに向かって左側の筐体の左側面に６行３列で約１８個のキー、同筐体の右側面に５行３列で約１５個のキー、右側の筐体の左側面に５行３列で約１５個のキー、同筐体の右側面に少なくとも２個のシフトキーを含む約９個のキーと１組のジョイスティックが備えられている携帯電話機で、両手共に親指と他の残りの４本の指との間で携帯電話機を挟んで把持し、両手１０本の指を常時文字入力手段に配置するもので、左手の親指が左側の筐体の左側面のキーを、左手人差し指、中指、薬指及び小指が左側の筐体の右側面のキーを、右手の親指が右側の筐体の右側面のキーと１組のジョイスティックを、右手人差し指、中指、薬指及び小指が右側の筐体の左側面のキーを、押圧・操作できるように、合計約５７個のキーと１組のジョイスティックとを配置し、それぞれの指を目的の文字入力手段を押圧・操作することができるホームポジションに置き、指１０本のうち、任意の１本又は右手の親指と同時に他の残りの９本の指でキーに入力でき、シフトキー等の条件の切替無しで両手の指のうちのいずれか１本の１回の押圧動作で約４８文字のいずれの１文字も入力できることを特徴とする携帯電話機。
【請求項３】
携帯電話機であって、左右で合計２個の概略直方体の筐体を連結した携帯電話機で、概略直方体の最も広い面に装備したディスプレイに向かって左側の筐体の左側面に５行３列で約１５個のキー、同筐体の右側面に６行３列で約１８個のキー、右側の筐体の左側面に５行３列で約１５個のキー、同筐体の右側面に少なくとも２個のシフトキーを含む約９個のキーと１組のジョイスティックが備えられている携帯電話機で、両手共に親指と他の残りの４本の指との間で携帯電話機を挟んで把持し、両手１０本の指を常時文字入力手段に配置するもので、左手の親指が左側の筐体の左側面のキーを、左手人差し指、中指、薬指及び小指が左側の筐体の右側面のキーを、右手の親指が右側の筐体の右側面のキーと１組のジョイスティックを、右手人差し指、中指、薬指及び小指が右側の筐体の左側面のキーを、押圧・操作できるように、合計約５７個のキーと１組のジョイスティックとを配置し、それぞれの指を目的の文字入力手段を押圧・操作することができるホームポジションに置き、指１０本のうち、任意の１本又は右手の親指と同時に他の残りの９本の指でキーに入力でき、シフトキー等の条件の切替無しで両手の指のうちのいずれか１本の１回の押圧動作で約４８文字のいずれの１文字も入力できることを特徴とする携帯電話機。
【請求項４】
携帯電話機であって、概略直方体の形状を持つ携帯電話機本体の最も長い稜線を含む幅の狭い方の片面に少なくとも２個のシフトキーを含む８行３列で約２４個のキーと１組のジョイスティック、幅の狭い方の他の片面に１１行３列で約３３個のキーが備えられている携帯電話機で、両手共に親指と他の残りの４本の指との間で携帯電話機を挟んで把持し、概略直方体の携帯電話機の最も長い稜線を含む幅の広い面に装備したディスプレイをユーザー顔面の概略正面に見ながら、該幅の広い面の長手方向を前歯と眉間とを結んだ直線に概略平行に位置させ、ジョイスティックがある片面に一方の手の親指と他方の手の人差し指、中指、薬指、小指を配置し、他の片面に他方の手の親指と一方の手の人差し指、中指、薬指、小指を配置し、両手１０本の指を常時文字入力手段に配置し入力するもので、一方（他方）の手の親指と他方（一方）の手の人差し指とが、他方（一方）の手の親指と一方（他方）の手の小指が接近するように両手をずらして両手の平が顔面を向くようにして携帯電話機を把持し、一方の手の親指が前記ジョイスティックとシフトキーを含む約９個のキー、同じ手の残りの４本の指で６行３列で約１８個のキーを、他方の手の親指で５行３列で約１５個のキー、同じ手の残りの４本の指で５行３列で約１５個のキーのいずれも押圧・操作できるように指１０本をホームポジションに配置し、指１０本のうち、任意の１本又は一方の親指と同時に他の残りの９本の指で文字入力手段に入力でき、シフトキー等の条件の切替無しで両手の指のうちのいずれか１本の１回の押圧動作で少なくとも約４８文字のいずれの１文字も入力できることを特徴とする携帯電話機。
【請求項５】
携帯電話機であって、概略直方体の形状を持つ携帯電話機本体の最も長い稜線を含む幅の狭い方の片面に少なくとも２個のシフトキーを含む８行３列で約２４個のキーと１組のジョイスティック、幅の狭い方の他の片面に１１行３列で約３３個のキーが備えられている携帯電話機で、両手共に親指と他の残りの４本の指との間で携帯電話機を挟んで把持し、概略直方体の携帯電話機の最も長い稜線を含む幅の広い面に装備したディスプレイをユーザー顔面の概略正面に見ながら、該幅の広い面の長手方向を前歯と眉間とを結んだ直線に概略平行に位置させ、ジョイスティックがある片面に一方の手の親指と他方の手の人差し指、中指、薬指、小指を配置し、他の片面に他方の手の親指と一方の手の人差し指、中指、薬指、小指を配置し、両手１０本の指を常時文字入力手段に配置し入力するもので、一方（他方）の手の親指と他方（一方）の手の人差し指とが、他方（一方）の手の親指と一方（他方）の手の小指が接近するように両手をずらして両手の平が顔面を向くようにして携帯電話機を把持し、一方の手の親指が前記ジョイスティックとシフトキーを含む約９個のキー、同じ手の残りの４本の指で５行３列で約１５個のキーを、他方の手の親指で６行３列で約１８個のキー、同じ手の残りの４本の指で５行３列で約１５個のキーのいずれも押圧・操作できるように指１０本をホームポジションに配置し、指１０本のうち、任意の１本又は一方の親指と同時に他の残りの９本の指で文字入力手段に入力でき、シフトキー等の条件の切替無しで両手の指のうちのいずれか１本の１回の押圧動作で少なくとも約４８文字のいずれの１文字も入力できることを特徴とする携帯電話機。
【請求項６】
携帯電話機であって、概略直方体の形状を持つ携帯電話機本体の最も長い稜線を含む幅の狭い方の片面に少なくとも２個のシフトキーを含む９行３列で約２７個のキーと１組のジョイスティック、幅の狭い方の他の片面に１０行３列で約３０個のキーが備えられている携帯電話機で、両手共に親指と他の残りの４本の指との間で携帯電話機を挟んで把持し、概略直方体の携帯電話機の最も長い稜線を含む幅の広い面に装備したディスプレイをユーザー顔面の概略正面に見ながら、該幅の広い面の長手方向を前歯と眉間とを結んだ直線に概略平行に位置させ、ジョイスティックがある片面に一方の手の親指と他方の手の人差し指、中指、薬指、小指を配置し、他の片面に他方の手の親指と一方の手の人差し指、中指、薬指、小指を配置し、両手１０本の指を常時文字入力手段に配置し入力するもので、一方（他方）の手の親指と他方（一方）の手の人差し指とが、他方（一方）の手の親指と一方（他方）の手の小指が接近するように両手をずらして両手の平が顔面を向くようにして携帯電話機を把持し、一方の手の親指が前記ジョイスティックとシフトキーを含む約９個のキー、同じ手の残りの４本の指で５行３列で約１５個のキーを、他方の手の親指で５行３列で約１５個のキー、同じ手の残りの４本の指で６行３列で約１８個のキーのいずれも押圧・操作できるように指１０本をホームポジションに配置し、指１０本のうち、任意の１本又は一方の親指と同時に他の残りの９本の指で文字入力手段に入力でき、シフトキー等の条件の切替無しで両手の指のうちのいずれか１本の１回の押圧動作で少なくとも約４８文字のいずれの１文字も入力できることを特徴とする携帯電話機。
【請求項７】
携帯電話機であって、概略直方体の形状を持つ携帯電話機本体の最も長い稜線を含む幅の狭い方の片面に少なくとも２個のシフトキーを含む８行３列で約２４個のキーと１組のジョイスティック、幅の狭い方の他の片面に１１行３列で約３３個のキーが備えられている携帯電話機で、両手共に親指と他の残りの４本の指との間で携帯電話機を挟んで把持し、ジョイスティックがある片面をユーザー顔面の正面に位置させ、その面の長手方向をユーザーの前歯と眉間を結んだ直線に概略平行に置き、収納時より概略９０度回転したディスプレイの全面を顔面の概略正面に見ながら、両手１０本の指で入力するもので、両手の親指の爪の平たい面と残りの８本の指の腹面（爪の平たい面の正反対側）とが概略顔面の正面を向き、一方（他方）の手の小指の爪の側部と他方（一方）の手の人差し指の爪の側部とが接近するように両手をずらして、両手の平が携帯電話機本体の最も広い面の両面に互いに向かい合うようにして携帯電話機を把持し、両手１０本の指を常時前記文字入力手段に配置するもので、一方の手の親指が前記シフトキーを含む約９個のキーと前記ジョイスティック、同じ手の残りの４本の指で６行３列で約１８個のキーを、他方の手の親指で５行３列で約１５個のキー、同じ手の残りの４本の指で５行３列で約１５個のキーのいずれも押圧・操作できるように指１０本をホームポジションに配置し、指１０本のうち、任意の１本又は一方の親指と同時に他の残りの９本の指で文字入力手段に入力でき、シフトキー等の条件の切替無しで両手の指のうちのいずれか１本の１回の押圧動作で約４８文字のいずれの１文字も入力できることを特徴とする携帯電話機。
【請求項８】
携帯電話機であって、概略直方体の形状を持つ携帯電話機本体の最も長い稜線を含む幅の狭い方の片面に少なくとも２個のシフトキーを含む８行３列で約２４個のキーと１組のジョイスティック、幅の狭い方の他の片面に１１行３列で約３３個のキーが備えられている携帯電話機で、両手共に親指と他の残りの４本の指との間で携帯電話機を挟んで把持し、ジョイスティックがある片面をユーザー顔面の正面に位置させ、その面の長手方向をユーザーの前歯と眉間を結んだ直線に概略平行に置き、収納時より概略９０度回転したディスプレイの全面を顔面の概略正面に見ながら、両手１０本の指で入力するもので、両手の親指の爪の平たい面と残りの８本の指の腹面（爪の平たい面の正反対側）とが概略顔面の正面を向き、一方（他方）の手の小指の爪の側部と他方（一方）の手の人差し指の爪の側部とが接近するように両手をずらして、両手の平が携帯電話機本体の最も広い面の両面に互いに向かい合うようにして携帯電話機を把持し、両手１０本の指を常時前記文字入力手段に配置するもので、一方の手の親指が前記シフトキーを含む約９個のキーと前記ジョイスティック、同じ手の残りの４本の指で５行３列で約１５個のキーを、他方の手の親指で５行３列で約１５個のキー、同じ手の残りの４本の指で６行３列で約１８個のキーのいずれも押圧・操作できるように指１０本をホームポジションに配置し、指１０本のうち、任意の１本又は一方の親指と同時に他の残りの９本の指で文字入力手段に入力でき、シフトキー等の条件の切替無しで両手の指のうちのいずれか１本の１回の押圧動作で約４８文字のいずれの１文字も入力できることを特徴とする携帯電話機。
【請求項９】
携帯電話機であって、概略直方体の形状を持つ携帯電話機本体の最も長い稜線を含む幅の狭い方の片面に少なくとも２個のシフトキーを含む９行３列で約２７個のキーと１組のジョイスティック、幅の狭い方の他の片面に１０行３列で約３０個のキーが備えられている携帯電話機で、両手共に親指と他の残りの４本の指との間で携帯電話機を挟んで把持し、ジョイスティックがある片面をユーザー顔面の正面に位置させ、その面の長手方向をユーザーの前歯と眉間を結んだ直線に概略平行に置き、収納時より概略９０度回転したディスプレイの全面を顔面の概略正面に見ながら、両手１０本の指で入力するもので、両手の親指の爪の平たい面と残りの８本の指の腹面（爪の平たい面の正反対側）とが概略顔面の正面を向き、一方（他方）の手の小指の爪の側部と他方（一方）の手の人差し指の爪の側部とが接近するように両手をずらして、両手の平が携帯電話機本体の最も広い面の両面に互いに向かい合うようにして携帯電話機を把持し、両手１０本の指を常時前記文字入力手段に配置するもので、一方の手の親指が前記シフトキーを含む約９個のキーと前記ジョイスティック、同じ手の残りの４本の指で５行３列で約１５個のキーを、他方の手の親指で６行３列で約１８個のキー、同じ手の残りの４本の指で５行３列で約１５個のキーのいずれも押圧・操作できるように指１０本をホームポジションに配置し、指１０本のうち、任意の１本又は一方の親指と同時に他の残りの９本の指で文字入力手段に入力でき、シフトキー等の条件の切替無しで両手の指のうちのいずれか１本の１回の押圧動作で約４８文字のいずれの１文字も入力できることを特徴とする携帯電話機。
【請求項１０】
前記請求項１より９のいずれか１つに記載の携帯電話機において、前記シフトキーのいずれか１つを押した状態で両手の他の残りの指９本のうちのいずれか１本の１回の押圧動作、又は前記シフトキーのいずれか１つと両手の他の残りの指９本のうちのいずれか１本との１回の同時押圧動作で前記４８文字とは別の新たな約４８文字のいずれの１文字も入力できることを特徴とする携帯電話機。
【請求項１１】
前記請求項１より１０のいずれか１つに記載の携帯電話機において、片方の手が使用できない状態にある時、使用できる方の片手の指５本のみで操作可能な入力手段を有効にして、残りの入力手段を無効にして片手の指５本のみで操作可能な入力手段に文字入力制御権を移管することができる機能を備えた、片手で把持し把持した方の片手５本の指を常時文字入力手段のホームポジションに配置し、使用できる方の手の指５本のうち、任意の１本又は親指と他の４本の指とで同時に文字入力手段に入力できることを特徴とする携帯電話機。
【請求項１２】
前記請求項４より９のいずれか１つに記載の携帯電話機において、小型で持ち運びを便利にするために長手方向の概略中央部で２つに折り畳むことができることを特徴とする携帯電話機。
【請求項１３】
前記請求項１より３のいずれか１つに記載の携帯電話機において、左側の筐体の左側面と右側面及び右側の筐体の左側面に配置されているキーで少なくともひらがなの「あ」、「い」、「う」、「え」、「お」、「か」、「き」、・・・・「ま」、「み」、「む」、「め」、「も」、「や」、「ゆ」、「よ」、「ら」、「り」、「る」、「れ」、「ろ」、「わ」、「を」、「ん」、濁音「゛」、半濁音「゜」の４８字のうちいずれか１つを指１本の１回のキー押圧操作で入力でき、かつ右手の親指でシフトキーを押しながら、他の指で前記文字と同じキーを１回押すことにより少なくとも促音文字の「ぁ」、「ぃ」、「ぅ」、「ぇ」、「ぉ」、「ゃ」、「ゅ」、「ょ」、「っ」の９文字を入力でき、かつ一方の親指で前記とは別のシフトキーを押しながら他の指でキーを１回押すと少なくともアルファベット２６字及び数字「１」、「２」、「３」、・・・「０」の１０字のいずれの１文字も入力できることを特徴とする携帯電話機。
【請求項１４】
前記請求項１より３のいずれか１つに記載の携帯電話機において、左側の筐体の左側面と右側面及び右側の筐体の左側面に配置されているキーで少なくともひらがなの「あ」、「い」、「う」、「え」、「お」と「か」、「き」、・・・・、「ほ」と「ま」、「み」、「む」、「め」、「も」と「ら」、「り」、「る」、「れ」、「ろ」のキーの４０字が５個ずつ１列に５０音配列順に並んでいることを特徴とする携帯電話機。
【請求項１５】
前記請求項４より９のいずれか１つに記載の携帯電話機において、一方の親指を除く他の９本の指で少なくともひらがなの「あ」、「い」、「う」、「え」、「お」、「か」、「き」、・・・・「ま」、「み」、「む」、「め」、「も」、「や」、「ゆ」、「よ」、「ら」、「り」、「る」、「れ」、「ろ」、「わ」、「を」、「ん」、濁音「゛」、半濁音「゜」の４８字のうちいずれか１つを指１本の１回の押圧操作で入力でき、かつ一方の手の親指でシフトキーを押しながら、他の指で前記文字と同じキーを１回押すことにより少なくとも促音文字の「ぁ」、「ぃ」、「ぅ」、「ぇ」、「ぉ」、「ゃ」、「ゅ」、「ょ」、「っ」の９文字を入力でき、かつ一方の親指で前記とは別のシフトキーを押しながら他の指でキーを１回押すと少なくともアルファベット２６字及び数字「１」、「２」、「３」、・・・「０」の１０字のいずれの１文字も入力できることを特徴とする携帯電話機。
【請求項１６】
前記請求項４より９のいずれか１つに記載の携帯電話機において、一方の親指を除く他の９本の指で押すキーに少なくともひらがなの「あ」、「い」、「う」、「え」、「お」と「か」、「き」、・・・・、「ほ」と「ま」、「み」、「む」、「め」、「も」と「ら」、「り」、「る」、「れ」、「ろ」のキーの４０字が５個ずつ１列に５０音配列順に並んでいることを特徴とする携帯電話機。
【請求項１７】
携帯電話機で、左右で合計２個の概略直方体の筐体を連結した携帯電話機で、概略直方体の最も広い面に装備したディスプレイに向かって左側の筐体の左側面に少なくとも６個のキー、同筐体の右側面に少なくとも１０個のキー、右側の筐体の左側面に少なくとも１０個のキー、同筐体の右側面に少なくとも２個のシフトキーと１組のジョイスティックが備えられている携帯電話機で、両手共に親指と他の残りの４本の指との間で携帯電話機を挟んで把持し、両手１０本の指を常時文字入力手段に配置するもので、左手の親指が左側の筐体の左側面のキーを、左手人差し指、中指、薬指及び小指が左側の筐体の右側面のキーを、右手の親指が右側の筐体の右側面のキーと１組のジョイスティックを、右手人差し指、中指、薬指及び小指が右側の筐体の左側面のキーを、押圧・操作する携帯電話機において、左手のいずれか１本の指で押圧できる位置に、ディスプレイの中で既に作成した電子メール文等のコピー、切取り及び貼付け作業をジョイスティックと協調して行うことができる目的の機能キーを前記キーとは別に装備したことを特徴とする携帯電話機。
【請求項１８】
携帯電話機で、概略直方体の形状を持つ携帯電話機本体の最も長い稜線を含む幅の狭い方の片面に少なくとも２個のシフトキーを含む少なくとも１２個のキーと１組のジョイスティック、幅の狭い方の他の片面に少なくとも１６個のキーが備えられている携帯電話機で、両手共に親指と他の残りの４本の指との間で携帯電話機を挟んで把持し、概略直方体の携帯電話機の最も長い稜線を含む幅の広い面に装備したディスプレイをユーザー顔面の概略正面に見ながら、該幅の広い面の長手方向を前歯と眉間とを結んだ直線に概略平行に位置させ、ジョイスティックがある片面に一方の手の親指と他方の手の人差し指、中指、薬指、小指を配置し、他の片面に他方の手の親指と一方の手の人差し指、中指、薬指、小指を配置し、両手１０本の指を常時文字入力手段に配置し入力するもので、一方（他方）の手の親指と他方（一方）の手の人差し指とが、他方（一方）の手の親指と一方（他方）の手の小指が接近するように両手をずらして両手の平が顔面を向くようにして携帯電話機を把持する携帯電話機において、ジョイスティックを操作しない方の手のいずれか１本の指で押圧できる位置に、ディスプレイの中で既に作成した電子メール文等のコピー、切取り及び貼付け作業をジョイスティックと協調して行うことができる目的の機能キーを前記キーとは別に装備したことを特徴とする携帯電話機。
【請求項１９】
携帯電話機で、概略直方体の形状を持つ携帯電話機本体の最も長い稜線を含む幅の狭い方の片面に少なくとも２個のシフトキーを含む少なくとも８個のキーと１組のジョイスティック、幅の狭い方の他の片面に少なくとも２０個のキーが備えられて側部とが接近するように両手をずらして、両手の平が携帯電話機本体の最も広い面の両面に互いに向かい合うようにして携帯電話機を把持し、両手１０本の指を常時前記文字入力手段に配置する携帯電話機において、ジョイスティックを操作しない方の手のいずれか１本の指で押圧できる位置に、ディスプレイの中で既に作成した電子メール文等のコピー、切取り及び貼付け作業をジョイスティックと協調して行うことができる目的の機能キーを前記キーとは別に装備したことを特徴とする携帯電話機。
【請求項２０】
携帯電話機とＰＤＡ機器（以下請求項３１まで携帯電話機とＰＤＡ機器を「携帯電話機」と呼称）であって、携帯電話機本体を両手で把持するもので、概略直方体の形状を持つ携帯電話機本体の最も長い稜線を含む幅の狭い方の両面に合計で少なくとも４個のシフトキーと少なくとも１組のジョイキー又はジョイスティック又は矢印キー又はその役目を果たす歯車式又はボール回転式等の入力手段（以下請求項３１まで、ジョイキー又はジョイスティック又は矢印キー又はその役目を果たす歯車式又はボール回転式等の入力手段を「ジョイスティック」と呼称）と少なくとも２６個のキーとが備えられている携帯電話機で、両手共に親指と他の残りの４本の指との間で携帯電話機を挟んで把持し、概略直方体の携帯電話機本体の最も長い稜線を含む幅の広い面に装備したディスプレイの全面をユーザー顔面の概略正面に見ながら、該幅の広い面の長手方向を前歯と眉間とを結んだ直線に概略平行に置き、前記ジョイスティックがある片面に一方の手の親指と他方の手の人差し指、中指、薬指、小指を配置し、他の片面に他方の手の親指と一方の手の人差し指、中指、薬指、小指を配置し、両手１０本の指で入力するもので、一方の手の親指と他方の手の人差し指とが、他方の手の親指と一方の手の小指とが接近するように、又は一方の手の親指と他方の手の小指とが、他方の手の親指と一方の手の人差し指とが接近するように、両手をずらして、両手の平がユーザー顔面の方を向くようにして携帯電話機を把持し、両手１０本の指を常時ジョイスティックとキー（以下請求項３１まで、ジョイスティックとキーを「文字入力手段」と呼称）に配置するもので、一方の手の親指が前記ジョイスティック、両方の手の親指２本が合わせて少なくとも６個のキー、人差し指２本がそれぞれ少なくとも４個のキー、残りの６本の指がそれぞれ少なくとも２個のキーを、押圧・操作できるように前記シフトキーを含む少なくとも合計３０個のキーと前記ジョイスティックとを配置し、両方の手の人差し指、中指、薬指又は小指のそれぞれ２本のいずれかに前記シフトキーを割当て、それぞれの指が目的の文字入力手段を押圧・操作できるホームポジションに置き、指１０本のうち、任意の１本又はシフトキーを押す指と同時に残りの９本の指のいずれかの指で文字入力手段に入力でき、シフトキー等の条件の切替無しで両手の指のうちのいずれか１本の１回の押圧動作で少なくともアルファベット２６文字又は他の種類の少なくとも２６文字のいずれの１文字も入力できることを特徴とする携帯電話機。
【請求項２１】
携帯電話機であって、携帯電話機本体を両手で把持するもので、概略直方体の形状を持つ携帯電話機本体の最も長い稜線を含む幅の狭い方の両面に合計で少なくとも１組のジョイスティックと少なくとも４個のシフトキーと少なくとも２６個のキーとが備えられている携帯電話機で、両手共に親指と他の残りの４本の指との間で携帯電話機を挟んで把持し、概略直方体の携帯電話機本体の最も長い稜線を含む幅の狭い方のジョイスティックがある片面をユーザー顔面の正面に位置させ、その面の長手方向を前歯と眉間とを結んだ直線に概略平行に置き、収納時より概略９０度回転したディスプレイの全面をユーザー顔面の概略正面に見ながら、両手１０本の指で入力するもので、両手の親指の爪の平たい面と残りの８本の指の腹面（爪の平たい面の正反対側）とが概略ユーザー顔面の方を向き、一方の手の小指の爪の側部と他方の手の人差し指の爪の側部が接近するように両手をずらして、両手の平が該携帯電話機本体の最も広い面の両面に互いに向かい合うようにして携帯電話機を把持し、両手１０本の指を常時文字入力手段に配置するもので、片方の手の親指が前記ジョイスティック、両方の手の親指２本が合わせて少なくとも６個のキー、人差し指がそれぞれ少なくとも４個のキー、残りの６本の指がそれぞれ少なくとも２個のキーを、押圧・操作できるように前記シフトキーを含む少なくとも３０個のキーと前記ジョイスティックとを配置し、両方の手の人差し指、中指、薬指又は小指のそれぞれ２本のいずれかに前記シフトキーを割当て、それぞれの指が目的の文字入力手段を押圧・操作できるホームポジションに置き、指１０本のうち、任意の１本又はシフトキーを押す指と同時に残りの９本の指のいずれかの指で文字入力手段に入力でき、シフトキー等の条件の切替無しで両手の指のうちのいずれか１本の１回の押圧動作で少なくともアルファベット２６文字又は少なくとも他の種類の２６文字のいずれの１文字も入力できることを特徴とする携帯電話機。
【請求項２２】
携帯電話機であって、左右２個の筐体を連結した携帯電話機で、左側筐体の左側面と右側筐体の右側面に合わせて少なくとも１０個のキーと少なくとも１組のジョイスティック、左側筐体の右側面に少なくとも１０個のキー、右側筐体の左側面に少なくとも１０個のキーが備えられているか、又は左側筐体の左側面と右側筐体の右側面に合わせて少なくとも６個のキーと少なくとも１組のジョイスティック、左側筐体の右側面に少なくとも１２個のキー、右側筐体の左側面に少なくとも１２個のキーが備えられている携帯電話機で、両手共に親指と他の残りの４本の指との間で携帯電話機を挟んで把持し、右手で右側筐体に装備された文字入力手段のみを、左手で左側筐体に装備された文字入力手段のみを操作するもので、両手１０本の指を常時前記文字入力手段に配置し、左手の親指が左側筐体の左側面の文字入力手段を、左手の残りの指４本が左側筐体の右側面の文字入力手段を、右手の親指が右側筐体の右側面の文字入力手段を、右手の残りの指４本が右側筐体の左側面の文字入力手段を、押圧・操作できるように、シフトキー４個を含む少なくとも合計３０個のキーと前記ジョイスティックとを配置し、両方の手の人差し指、中指、薬指又は小指のそれぞれ２本のいずれかに前記シフトキーを割当て、それぞれの指が目的の文字入力手段を押圧・操作できるホームポジションに置き、指１０本のうち、任意の１本又はシフトキーを押す指と同時に残りの９本の指のいずれかの指で文字入力手段に入力でき、シフトキー等の条件の切替無しで両手の指のうちのいずれか１本の１回の押圧動作で少なくともアルファベット２６文字又は少なくとも他の種類の２６文字のいずれの１文字も入力できることを特徴とする携帯電話機。
【請求項２３】
携帯電話機であって、携帯電話機本体を両手で把持するもので、概略直方体の形状を持つ携帯電話機本体の最も長い稜線を含む幅の狭い方の両面に合計で少なくとも２個のシフトキーと少なくとも１組のジョイスティックと３９個より４８個までのキーとが備えられている携帯電話機で、両手共に親指と他の残りの４本の指との間で携帯電話機を挟んで把持し、概略直方体の携帯電話機本体の最も長い稜線を含む幅の広い面に装備したディスプレイの全面をユーザー顔面の概略正面に見ながら、該幅の広い面の長手方向を前歯と眉間とを結んだ直線に概略平行に置き、ジョイスティックがある片面に一方の手の親指と他方の手の人差し指、中指、薬指、小指を配置し、他の片面に他方の手の親指と一方の手の人差し指、中指、薬指、小指を配置し、両手１０本の指で入力するもので、一方の手の親指と他方の手の人差し指とが、他方の手の親指と一方の手の小指とが接近するように、又は一方の手の親指と他方の手の小指とが、他方の手の親指と一方の手の人差し指とが接近するように、両手をずらして、両手の平がユーザー顔面の方を向くようにして携帯電話機を把持し、両手１０本の指を常時文字入力手段に配置するもので、一方の手の親指が前記ジョイスティック、両方の手の親指２本が合わせて少なくとも９個のキー、人差し指２本がそれぞれ少なくとも６個のキー、残りの６本の指がそれぞれ少なくとも３個のキーを、押圧・操作できるように前記シフトキーを含む合計４１個より５０個までのキーと前記ジョイスティックとを配置し、両方の手の人差し指、中指、薬指又は小指のそれぞれ２本のいずれかに前記シフトキーを割当て、それぞれの指が目的の文字入力手段を押圧・操作できるホームポジションに置き、指１０本のうち、任意の１本又はシフトキーを押す指と同時に残りの９本の指のいずれかの指で文字入力手段に入力でき、シフトキー等の条件の切替無しで両手の指のうちのいずれか１本の１回の押圧動作で約３９文字のいずれの１文字も入力できることを特徴とする携帯電話機。
【請求項２４】
携帯電話機であって、携帯電話機本体を両手で把持するもので、概略直方体の形状を持つ携帯電話機本体の最も長い稜線を含む幅の狭い方の両面に合計で少なくとも１組のジョイスティックと少なくとも２個のシフトキーと３９個より４８個までのキーが備えられている携帯電話機で、両手共に親指と他の残りの４本の指との間で携帯電話機を挟んで把持し、概略直方体の携帯電話機本体の最も長い稜線を含む幅の狭い方のジョイスティックがある片面をユーザー顔面の正面に位置させ、その面の長手方向を前歯と眉間とを結んだ直線に概略平行に置き、収納時より概略９０度回転したディスプレイの全面をユーザー顔面の概略正面に見ながら、両手１０本の指で入力するもので、両手の親指の爪の平たい面と残りの８本の指の腹面（爪の平たい面の正反対側）とが概略ユーザー顔面の方を向き、一方の手の小指の爪の側部と他方の手の人差し指の爪の側部が接近するように両手をずらして、両手の平が該電話機本体の最も広い面の両面に互いに向かい合うようにして携帯電話機を把持し、両手１０本の指を常時文字入力手段に配置するもので、片方の手の親指が前記ジョイスティック、両方の手の親指２本が合わせて少なくとも９個のキー、人差し指がそれぞれ少なくとも６個のキー、残りの６本の指がそれぞれ少なくとも３個のキーを、押圧・操作できるように前記シフトキーを含む合計４１個より５０個までのキーと前記ジョイスティックとを配置し、両方の手の人差し指、中指、薬指又は小指のそれぞれ２本のいずれかに前記シフトキーを割当て、それぞれの指が目的の文字入力手段を押圧・操作できるホームポジションに置き、指１０本のうち、任意の１本又はシフトキーを押す指と同時に残りの９本の指のいずれかの指で文字入力手段に入力でき、シフトキー等の条件の切替無しで両手の指のうちのいずれか１本の１回の押圧動作で約３９文字のいずれの１文字も入力できることを特徴とする携帯電話機。
【請求項２５】
携帯電話機であって、左右２個の筐体を連結した携帯電話機で、左側筐体の左側面と右側筐体の右側面に合わせて少なくとも１１個のキーと少なくとも１組のジョイスティック、左側筐体の右側面に少なくとも１５個のキー、右側筐体の左側面に少なくとも１５個のキーが備えられているか、又は左側筐体の左側面と右側筐体の右側面に合わせて少なくとも９個のキーと少なくとも１組のジョイスティック、左側筐体の右側面に少なくとも１６個のキー、右側筐体の左側面に少なくとも１６個のキーが備えられている携帯電話機で、両手共に親指と他の残りの４本の指との間で携帯電話機を挟んで把持し、右手で右側筐体に装備された文字入力手段のみを、左手で左側筐体に装備された文字入力手段のみを操作するもので、両手１０本の指を常時前記文字入力手段に配置し、左手の親指が左側筐体の左側面の文字入力手段を、左手の残りの指４本が左側筐体の右側面の文字入力手段を、右手の親指が右側筐体の右側面の文字入力手段を、右手の残りの指４本が右側筐体の左側面の文字入力手段を、押圧・操作できるように、少なくともシフトキー２個を含む４１個より５０個までのキーと前記ジョイスティックとを配置し、両方の手の人差し指、中指、薬指又は小指のそれぞれ２本のいずれかに前記シフトキーを割当て、それぞれの指が目的の文字入力手段を押圧・操作できるホームポジションに置き、指１０本のうち、任意の１本又はシフトキーを押す指と同時に残りの９本の指のいずれかの指で文字入力手段に入力でき、シフトキー等の条件の切替無しで両手の指のうちのいずれか１本の１回の押圧動作で約３９文字のいずれの１文字も入力できることを特徴とする携帯電話機。
【請求項２６】
携帯電話機であって、携帯電話機本体を両手で把持するもので、概略直方体の形状を持つ携帯電話機本体の最も長い稜線を含む幅の狭い方の両面に合計で少なくとも１組のジョイスティックと少なくとも２６個のキーとが備えられている携帯電話機で、両手共に親指と他の残りの４本の指との間で携帯電話機を挟んで把持し、概略直方体の携帯電話機本体の最も長い稜線を含む幅の広い面に装備したディスプレイの全面をユーザー顔面の概略正面に見ながら、該幅の広い面をユーザー顔面の概略正面に向け、該幅の広い面の長手方向を前歯と眉間とを結んだ直線に概略平行に置き、ジョイスティックがある片面に一方の手の親指と他方の手の人差し指、中指、薬指、小指を配置し、他の片面に他方の手の親指と一方の手の人差し指、中指、薬指、小指を配置し、両手１０本の指で入力するもので、一方の手の親指と他方の手の人差し指とが、他方の手の親指と一方の手の小指とが接近するように、又は一方の手の親指と他方の手の小指とが、他方の手の親指と一方の手の人差し指とが接近するように、両手をずらして、両手の平がユーザー顔面の方を向くようにして携帯電話機を把持し、両手１０本の指を常時文字入力手段に配置するもので、シフトキー等の条件の切替無しで両手の指のうちのいずれか１本の１回の押圧動作で少なくともアルファベット２６文字又は他の種類の少なくとも２６文字のいずれの１文字も入力できることを特徴とする携帯電話機。
【請求項２７】
携帯電話機であって、携帯電話機本体を両手で把持するもので、概略直方体の形状を持つ携帯電話機本体の最も長い稜線を含む幅の狭い方の両面に合計で少なくとも１組のジョイスティックと少なくとも２６個のキーが備えられている携帯電話機で、両手共に親指と他の残りの４本の指との間で携帯電話機を挟んで把持し、概略直方体の携帯電話機本体の最も長い稜線を含む幅の狭い方の片面をユーザー顔面の正面に位置させ、その面の長手方向を前歯と眉間とを結んだ直線に概略平行に置き、収納時より概略９０度回転したディスプレイの全面をユーザー顔面の概略正面に見ながら、両手１０本の指で入力するもので、両手の親指の爪の平たい面と残りの８本の指の腹面（爪の平たい面の正反対側）とが概略ユーザー顔面の方を向き、一方の手の小指の爪の側部と他方の手の人差し指の爪の側部が接近するように両手をずらして、両手の平が該電話機本体の最も広い面の両面に互いに向かい合うようにして携帯電話機を把持し、両手１０本の指を常時文字入力手段に配置するもので、シフトキー等の条件の切替無しで両手の指のうちのいずれか１本の１回の押圧動作で少なくともアルファベット２６文字又は少なくとも他の種類の２６文字のいずれの１文字も入力できることを特徴とする携帯電話機。
【請求項２８】
通信装置本体を両手で把持するもので、概略直方体の形状を持つ通信装置本体の最も長い稜線を含む幅の狭い方の両面に合計で少なくとも１組のジョイスティックと少なくとも２６個のキーとが備えられている通信装置で、両手共に親指と他の残りの４本の指との間で通信装置を挟んで把持し、概略直方体の通信装置本体の最も長い稜線を含む幅の広い面の表側を上に向け、ユーザーの視界の範囲内に通信装置本体とは別に備えられたディスプレイを見ながら、該幅の広い面の長手方向をユーザーの体と該ディスプレイとを結んだ直線に概略平行に持ち、ジョイスティックがある片面に一方の手の親指と他方の手の人差し指、中指、薬指、小指を配置し、他の片面に他方の手の親指と一方の手の人差し指、中指、薬指、小指を配置し、両手１０本の指で入力するもので、一方の手の親指と他方の手の人差し指とが、他方の手の親指と一方の手の小指とが接近するように、又は一方の手の親指と他方の手の小指とが、他方の手の親指と一方の手の人差し指とが接近するように、両手をずらして、両手の平が通信装置本体の裏側と向かい合うようにして通信装置本体を把持し、両手１０本の指を常時文字入力手段に配置するもので、シフトキー等の条件の切替無しで両手の指のうちのいずれか１本の１回の押圧動作で少なくともアルファベット２６文字又は他の種類の少なくとも２６文字のいずれの１文字も入力できることを特徴とする通信装置。
【請求項２９】
通信装置本体を両手で把持するもので、概略直方体の形状を持つ通信装置本体の最も長い稜線を含む幅の狭い方の両面に合計で少なくとも１組のジョイスティックと少なくとも２６個のキーが備えられている通信装置で、ユーザーの視界の範囲内に通信装置本体とは別に備えられたディスプレイを見ながら、両手共に親指と他の残りの４本の指との間で通信装置を挟んで把持し、概略直方体の通信装置本体の最も長い稜線を含む幅の狭い方のジョイスティックがある片面を上に向け、その面の長手方向をユーザーの体と該ディスプレイとを結んだ直線に概略平行に持ち、両手１０本の指で入力するもので、両手の親指の爪の平たい面と残りの８本の指の腹面（爪の平たい面の正反対側）とが概略上を向き、一方の手の小指の爪の側部と他方の手の人差し指の爪の側部が接近するように両手をずらして、両手の平が該通信装置本体の最も広い面の両面に互いに向かい合うようにして通信装置を把持し、両手１０本の指を常時文字入力手段に配置するもので、シフトキー等の条件の切替無しで両手の指のうちのいずれか１本の１回の押圧動作で少なくともアルファベット２６文字又は少なくとも他の種類の２６文字のいずれの１文字も入力できることを特徴とする通信装置。
【請求項３０】
自動車に乗車中に運転席で通信するため、自動車のハンドルに装備された文字入力装置で、該ハンドルを両手で掴むもので、該ハンドルを自動車直進時のハンドル角度において、該ハンドルの左部分の被把持部分の左手親指の腹部分（爪の平たい部分の反対側）が接触する表面に少なくとも３行２列６個のキーと該ハンドルの左部分の被把持部分の左手人差し指、中指、薬指、小指の腹部分（爪の平たい部分の反対側）が接触する表面に少なくとも５行２列１０個のキーとが、該ハンドルの右部分の被把持部分の右手親指腹部分（爪の平たい部分の反対側）が接触する表面に少なくとも１組のジョイスティックと少なくともシフトキー２個を含む少なくとも３行２列６個のキーと該ハンドルの右部分の被把持部分の右手人差し指、中指、薬指、小指の腹部分（爪の平たい部分の反対側）が接触する表面に少なくとも５行２列１０個のキーが備えられている文字入力装置で、両手共に親指と他の残りの４本の指との間でハンドルの被把持部分を挟んで把持し、該ハンドル正面をユーザーの概略正面に位置させ、運転席近傍に備えられたディスプレイを見ながら両手１０本の指で入力するもので、両手１０本の指を常時文字入力手段に配置し、シフトキー等の条件の切替無しで両手の指のうちのいずれか１本の１回の押圧動作で少なくともアルファベット２６文字又は他の種類の少なくとも２６文字のいずれの１文字も入力でき、シフトキーを使用することにより前記２６文字とは別の新たな少なくとも２６字と少なくとも数字１０文字を入力できることを特徴とする通信装置。
【請求項３１】
前記請求項３０に記載の通信装置において、前記文字入力手段のみを運転のためのハンドル本体とは独立し、該文字入力手段を該ハンドル本体表面に付加装備し、該文字入力手段を取り付け及び取り外しを可能にした通信装置。
【請求項３２】
前記請求項３０に記載の通信装置において、親指側の文字入力手段の押圧・操作力の反力を人差し指、中指、薬指、小指の４本で受け持つため、及び人差し指、中指、薬指、小指側の文字入力手段の押圧・操作力の反力を親指で受け持つためと誤って不要なキーを押すのを防止するために、隣り合った２列のキーとキーとの間にキーの表面より高さが高いフレームを設けたことを特徴とする通信装置。
【請求項３３】
前記請求項３２に記載のフレームの特定の場所の表面に突起を設け、ユーザーの指の現在位置をユーザーの触覚によって感知することができることを特徴とする通信装置。
【請求項３４】
前記請求項３２に記載のフレームの表面の少なくとも１０本の指のホームポジションに、指が入る窪みを設け、ユーザーの１０本の指が窪みを触覚によって感知し、該１０本の指をホームポジションに誘導することができることを特徴とする通信装置。
【請求項３５】
前記請求項３０に記載の通信装置において、文字入力手段に対応した入力文字を案内するために、キーの近傍のハンドル表面にキーに対応する入力文字を常時印字表示したことを特徴とする通信装置。
【請求項３６】
前記請求項３０に記載の通信装置において、シフトキーのその時の状態に対応した入力可能な文字キーを案内するために、通信装置のディスプレイにシフトキーのその時の状態に対応した入力可能な文字を表示することができることを特徴とする通信装置。
【請求項３７】
前記請求項１より９及び１７より３０に記載のいずれか１つにおいて、隣り合った２個のキーの代わりに２方向ジョイキーで置き換えたことを特徴とする携帯電話機又は通信装置、又は隣り合った３個のキーの代わりに２方向ジョイキーと１個のキーで置き換えたことを特徴とする携帯電話機又は通信装置。
【請求項３８】
前記請求項１より９及び１７より３０のいずれか１つに記載の携帯電話機又は通信装置において、片方の手のみで把持して使用できる範囲の文字入力手段のみに文字入力を制限し、片手５本の指のみでも文章の文字入力が可能であるモードに切り替えることができることを特徴とする携帯電話機。
【発明の詳細な説明】
技術分野
この発明は、携帯電話機及びＰＤＡ機器（携帯情報端末）及び車両に装備する文字入力装置と遠隔制御の通信装置の文字入力装置に関する分野。
背景技術
近年のデータ通信技術の発達に伴い、携帯電話機にメール送受信機能を持たせているものやデータ通信機能を有する文字入力装置を備えたＰＤＡ機器（携帯情報端末）がある。
図１は従来の一般的な携帯電話機の正面図である。０２ディスプレイ、０３アンテナ、０４スピーカ、０５マイクロホン、１０電源スイッチ、１１各種モード切替キー、１２ジョイキー、１７文字キー、１６本体より構成されている。
携帯電話機は一般的に、図１に示すようにディスプレイ（情報の表示部）と同じ平面に文字入力が出来るように、約１２個の文字キーと約４個の各種モード変換キーと１個のジョイキーを備えている。
ＰＤＡ機器もディスプレイと同じ平面に同程度の数のキーを備えている。ＰＤＡ機器はキーの数が携帯電話機のそれより少ないものもあれば、逆にパソコンのキーボードのように５０個以上のキーを備えているものもある。
図２は従来の折り畳み型携帯電話機の文字入力装置の正面図である。中央部に１４ヒンジ機構を設けて、非使用時にはディスプレイとキーボード部が向かい合うように折り畳める構造である。小型になるので持ち運びに便利である。
携帯電話機及びＰＤＡ機器は両方共、ディスプレイと同一平面に文字キーを備えている。または図２に示すように、文字キーを有する平面とディスプレイを有する平面とを非使用時に折り畳むことが出来る機種は、ノートパソコンのようにディスプレイとキーボード部に傾斜角度を有しているが、図１と図２のものはいずれもキーボード部はユーザーから見て正面に見える平面である。
携帯電話機で文字入力する場合は、図３に示すように右利きのユーザーは右手で携帯電話機を持ち、ディスプレイを目の正面に持って来て右手の親指を移動して次々にキーを押していく。
右手に携帯電話機を持ち、右手の親指を操作してキーを押して文字を入力する場合は、左手は空いているので自由に他の役目（例えば電車の吊革を持ったり、鞄を持ったり）のために使用することができる。
ＰＤＡ機器のうち、小型でかつ片手で操作できる機種は携帯電話機と同じ使い方になる。
ＰＤＡ機器の大型のものは机上で両手の指を使用してノートパソコンのキーボードのようにして文字を入力するので、片方の手を自由に他の役目のために使用することができない制約と共に机や膝を必ず使用しなければならない制約がある。片手で保持し同じ方の手の指で操作する携帯電話機と小型のＰＤＡ機器は保持している片方の手の親指を約１２個ある正面のキーボード部で順番に動かして文字を入力しなければならない。従って親指が各キーを押す入力速度で文章を作成する速度が決定される。
また、携帯電話機の正面のキーボード部には約１２個のキーがあり、アルファベットのＡよりＺまでの２６文字と数字１０文字が割当てられている。平均して１個のキーに３種類のアルファベット文字と数字１文字が割当てられている。
従来は図３に示すように、片手の親指のみを使用する場合、ディスプレイと同じ向きの平面の１２個のキーを操作する。例えば英語のアルファベット２６字の場合は１個のキーが３文字を担当する。図１に示すように、アルファベットの大文字「Ｃ」を入力する場合は「ＡＢＣ」が割り当てられている１７−５キーを３回続けて押すことになる。また、アルファベットの小文字「ｃ」を入力する場合は同じ１７−５キーを６回続けて押すか、又は小文字を入力するためのモード切換えスイッチを親指で切り換えた後に同じ１７−５キーを３回続けて押さなければならない。この後アルファベットの他の大文字を入力したい時はモード切換えスイッチを再度押して元に戻す操作をする必要がある。
日本語を入力するためには、「１」、「２」、・・・「９」、「０」の番号入力用の操作キーに「あ」行、「か」行、「さ」行、・・・「ら」行、「わをん」と５０音配列で文字を設定している。例えば、「あ」行に設定された操作キーの場合には、１回押すと「あ」が、２回押すと「い」が、３回押すと「う」が、４回押すと「え」が、５回押すと「お」がそれぞれ表示され、ジョイキーで漢字またはカタカナに変換し、ジョイキーの中央部を押すと文字が確定し、カーソルが次の文字を入力する位置に移動するようになっている。
ジョイキーとは従来から使用されているものであり、表面が一体型のキーで内部の上下左右に電気的接点を有しており、ジョイキー自身の上部、下部、左部、右部をそれぞれ押すとそれぞれ別の信号が入力される。一般にカーソルの位置を上下左右に動かすのに使用される。日本語の「ひらがな」より「漢字」、「カタカナ」へ変換にも使用される。ジョイキーの中央部のボタンを押すとまた別の信号が入力され、選択する文字を決定する決定キーとして使用される。ジョイスティックはジョイキーの役目と全く同じであるがボタンが中央に１個でありボタンの高さが周囲よりはるかに高さが高い。ボタン頭部を上下左右に揺り動かすと、それぞれ別の信号が入力される。ボタン頭部を垂直に押圧するとまた別の信号が入力される。これは決定キーとして使用される。
全く同じ役目を果たすものでジョイキー表面が４つのキーに分離しているものもあり、これは一般に４方向矢印キーと呼ばれている。矢印キーの中央部にはボタンキーが付いており、決定キーとして使用される。この他歯車を回転させて上下にカーソルを動かし左右のキーで左右にカーソルを動かすもの、ボールを半分埋め込んでこれの表面を回転させて上下左右にカーソルを動かすものもある。ジョイキーの方向の向かい合った２つの電気的接点だけを有効にしたものを２方向ジョイキーという。４方向矢印キーの向かい合った２つのキーだけを有効にしたものを２方向矢印キーを呼ぶ。これは２つのキーと全く同じ機能である。
数字を入力したい場合はモード変換キーを押すと数字を入力できる状態となり、更にもう１回モード変換キーを押すとアルファベットを入力できる状態となる。
従来の携帯電話機で、ディスプレイの中で既に作成した電子メール文等のコピー、切取り及び貼付け作業を行う時の、メール文の一部分のコピーをして別の位置に貼付けを行う場合を説明する。
まず、１１モード切替キーを押し、表示されたメニューの「コピー」、「切取り」、「貼付け」の中で、１２ジョイキーでカーソルを移動し「コピー」を選択し、１２ジョイキーの中央部の決定ボタンを押す。次に１２ジョイキーでカーソルを移動し、文章の始点を１２ジョイキーの決定ボタンで決定し、１２ジョイキーでカーソルを終点まで移動し、決定ボタンを押す。
次に１１モード切替キーを押して、１２ジョイキーでメニューの「貼付け」を選択し、決定ボタンを押し、１２ジョイキーでカーソルを目的の貼付け位置に移動し、決定ボタンを押すと貼付けができる。合計１２の個別作業がある。
親指のみを使用して入力する場合の文字入力速度は、パーソナルコンピューターのように両手の１０本の指を使用して入力する速度に比較して約５分の１の速度である。これではデータ通信速度が速い技術を開発しても、文字入力速度が改善しないのでは技術が十分生かされない。これは片手の親指１本のみを使い、親指の担当するキーの数が多すぎるために親指の動く範囲が広すぎるのと、親指の動く範囲が広すぎてブラインドタッチ（押すキーを見ないで、押されたキーが表示されるディスプレイのみを見ながらキーを押す動作）をするのが著しく困難であるからである。ユーザーはディスプレイと１２個の正面のキーボードとを交互に視線を移すことになるので、入力速度が落ちるだけで無く入力誤りが増加することになる。
このように携帯電話機や小型のＰＤＡ機器の文字入力速度を現状よりも速くすることが望まれる。また、両手が自由になる状態においては必ずしも片手のみで携帯電話の文字入力をする必要は無く、両手を使えば文字入力速度がさらに速くなるならば、全てのユーザーがそのような装置を望む。
携帯電話機の文字入力速度を机上のパーソナルコンピューター程度に速くできればビジネス業務連絡等の飛躍的な需要拡大が可能である。
現在、このような文字キーを備えた携帯電話機もしくはＰＤＡ機器は販売されていない。
現状では一般的技術水準としては次の特許が公開されているが、
ＪＰ２００１−０２２５０１
ＪＰ０９−０８３４０２
ＪＰ２０００−５９４８３
ＪＰ２０００−１５１７７４
ＪＰ２００１−０６０９９９
ＥＰ  １０４７０９
ＪＰ２００１−１１７７０９
ＪＰ１０−２２４２８８
ＪＰ０６−２７４２５７
ＵＳ４７９１４０８
ＵＳ４３６０８９２
ＵＳ５２８１９６６
ＪＰ２０００−２４４６２３
ＪＰ２０００−２７６５３
いずれも側面にキーを５個程度設置して、片手の指５本までを使用して文字入力を速くしようと試みたり、情報をアクセスする場合に携帯電話機正面のキーの数がスペース上制限されて少ないために、側面に４個程度の補助キーを備えて正面の約１２個のキーの役割を拡大しようとしているにすぎない。
正面の約１２個のキーのみを使用してソフトウエアの工夫で携帯電話機の文字入力速度を速くしようとする公開特許が多数あるがどれも効果的なものは無い。
現状では上記公開特許の技術を使用した製品が一般に販売されていない理由として、これらの側面キーや側面補助キーを設置した携帯電話機の文字入力速度が現状の正面にキーボードを装備した市販品より圧倒的に上回ることができないためである。
注目すべきことはＪＰ２０００−２４４６２３の外付けキーボードで携帯電話機とＪＩＳキーボード盤をケーブルで連結したものがヒット商品になっている。
ＪＰ２０００−２７６５３は両手の小指をＰＤＡ機器に固定して把持しようというものである。
これらの公開特許から推測されることは、現状の携帯電話機の文字入力がいかに入力し難いものであるかを示している。
発明の開示
これらの現状の技術は携帯電話機本体で両手１０本の指を使用して文字入力するという発想が無く、かつ片手のみで操作しようとする発想から抜け出ていない。両手の１０本の指を使えば文字入力速度が飛躍的に増加することに気づいていないのである。片手で掴める最近の小型の携帯電話機に両手１０本の指を使って文字入力しようとすると手の位置をどこにどのように配置するかに工夫がいる。
その前にまず、１０本の指を同時に使用しようとする着想が必要である。
さらに両手で携帯電話機を把持すれば、１０本の指の内それぞれの指１本１本に２個以上の複数のキー（親指は６個以上）を区別して押圧できるという指の機能があることを気づいていないのである。携帯電話機を片手で把持して、把持した方の指でキーを押圧しようとすれば人差し指、中指、薬指、小指で指の長さ方向に並んでいる前後の２個以上のキーを区別して押すことは現実的に困難だからである。
さらに両手で携帯電話機を把持して、両手の１０本の指を使えば利き手（他方の手の指より良く動き、多くの細かい操作が出来る方の手のこと。）に多くの細かい操作をさせるために、右利きユーザーが使用する携帯電話機の文字入力手段と左利きユーザーが使用する携帯電話機の文字入力手段の装備位置が左右対称になり、同一種類を使用し難いという問題も気づくことができる。また、左利きのユーザーは右利きユーザーが使用する携帯電話機をそのまま使用して右手の指が良く動くように訓練して十分使用できるようになることにも気づく。
携帯電話機は従来より電話機という機能から始まったために、メール機能が付加されたにもかかわらず、一般に片手で操作するという発想から抜けていないのである。携帯電話機でメールの文章を入力する場合は実際は両手が自由に使える場合が圧倒的に多いのに気づいていないである。あるいは携帯電話機を両手で把持すれば右手の指と左手の指が携帯電話機表面の同一位置で重なり１０個のキーは押せないではないかと考えるのかも知れない。
また、従来の携帯電話機で、ディスプレイの中で既に作成した電子メール文等のコピー及び貼付け作業を行う時、前述のように合計１２の個別作業がある。
親指１本で行うと１２ジョイキーと１１機能キーを順番に操作しなければならないので、非常に面倒な作業になる。これでは将来の携帯電話機で数千文字を作成するメール等では対応できない。
携帯電話機でメールの文章を入力する場合は待合室、車中、ベンチに腰掛けている状態、立ち止まっている状態等で両手が使用できる状態が圧倒的に多いことに着目して解決したのである。
図４は本発明の携帯電話機で携帯電話機本体を机上や膝上に置かずに両手で把持し両手の指１０本で文字入力する携帯電話機であり、さらに両手で携帯電話機を把持すれば、１０本の指の内それぞれの指１本１本に３個のキー（親指は１５個）を区別して押圧できるという指の機能があることを考えついた日本語の「ひらがな」とそれに類似の約５０個の文字で表せる言語とを超高速で文字入力する携帯電話機である。
概略直方体の形状を持つ携帯電話機本体の最も長い稜線を含む幅の狭い方の両面にキーを配置し、両手共に親指と他の残りの４本の指との間で携帯電話機を挟んで把持すると、両面のキーの押圧力と反力とによる偶力が最小になり、携帯電話機を把持し易く、かつ、キーを非常に押し易い構造になる。
また、右手と左手を互いに前後にずらして携帯電話機を把持すると１０本の指を携帯電話機の側面全面に効率良く配置できるので多くのキーを押圧することができる。また、ディスプレイを携帯電話機正面全面に拡大できるので多くの情報を表示できる。
また、図４のＸ−Ｘ断面に示すように、キー１行に３個並んだキーで、第１番目のキーと第２番目のキーとの間にキーよりも高さが高いフレームを設ける。それにより、一方の側面のキーの押圧力の反力を他方の側面のフレームに置いた指で受け持つことで、誤ったキーを押すミスが減少すると共に、フレームで仕切られた第１番目のキーと第２番目のキーをブラインドタッチで正確に区別できる利点がある。
図４は本発明の両手で把持し両手の指１０本で日本語及び英語を文字入力できる携帯電話機の超高速文字入力装置の１例である。
この装置は０１本体、０２ディスプレイ、０３アンテナ、０４スピーカ、０５マイクロホン、左側面は２１６−１、２１６−２、２１６−３のように１行で３列のキーがあり、２１７、２１８、２１９、２２０、２２１、２２２、２２３、２２４、２２５、２２６もそれぞれ３列あり、計１１行３列で３３個のキー、右側面は２１５ジョイキーと２２７、２２８、２２９、２３０、２３１、２３２、２３３、２３４キーが８行３列で計２４個と２３５機能キー３個。そして、２０１指、指のホームポジション位置を確認するためにフレームに設けられた２０６窪み、指の触覚で指の現在位置を確認するためにフレームに設けられた２０７突起、キーを押さない時指を置く２０８フレームより構成されている。
図５は図４の携帯電話機に文字を両手１０本の指で入力中の概観図である。
図５はまた、両手で把持し両手１０本の指を文字入力手段のホームポジションに配置した概観を示している。
図５に示すように、右側面の２１５ジョイキーと２２７、２２８、２２９キーの３行３列９個を右手の親指が担当し、左側面の２１６、２１７キー２行３列６個を右手人差し指、２１８キーの３個を右手中指、２１９キーの３個を右手薬指、２２０、２２１キーの２行３列６個を右手小指がそれぞれ担当する。
左側面の２２２、２２３、２２４、２２５、２２６キーの５行３列１５個を左手親指が担当し、右側面の２３０、２３１キーの２行３列６個を左手人差し指が担当し、２３２キーの３個を左手中指、２３３キーの３個を左手薬指、２３４キーの３個と２３５機能キー３個を左手小指がそれぞれ担当する。
また、図１２は図４の携帯電話機のキーに「ひらがな」４８個と「アルファベット」と「数字」１０文字を割当てた発明である。
右手親指で何のキーも押さない状態で残りの９本の指で４８個のキーを押すことができるので「ひらがな」の「あ」、「い」、「う」、「え」、「お」、「か」、・・・・「ま」、「み」、「む」、「め」、「も」、「や」、「ゆ」、「よ」、「ら」、「り」、「る」、「れ」、「ろ」、「わ」、「を」、「ん」、濁音「゛」、半濁音「゜」の４８字を１回の押圧操作で入力できる。
ひらがなキーの配置は、キーが側面に配置されていて正面より直接キーが見えないので、「あいうえお」の順番を１列のキーに並べた配置にするのがユーザーにとっては文字位置を記憶し易い。ここで「わ」、「を」、「ん」のキー３個は他の「ひらがな」との関連が無いので左手親指が担当する位置に移動しても差し支えない。又は左手小指が担当する位置に移動しても同様の機能を発揮することができる。
上記の４８字は他の言語の約４８字であってもよい。また、言語によっては丁度４８字でなくても良い。例えば約３６字で十分な言語の場合は残りの１２字分を記号に割り振って良いし、足りなければ、数個キーを追加しても良い。
また、右手の親指で２２７−１シフトキーを押しながら、他の指で前記文字と同じキーを１回押すことにより促音文字の「ぁ」、「ぃ」、「ぅ」、「ぇ」、「ぉ」、「ゃ」、「ゅ」、「ょ」、「っ」の９文字を入力可能できる。
また、２２７−１シフトキーを押した状態での残りの３９個のキーには日本語入力で使用する句読点及び記号等を割り振ることができる。
右手の親指で前記とは別の２２８−１シフトキーを押しながら残りの９本の指でキーを１回押すとアルファベットの小文字「ａ」から「ｚ」まで２６字及び数字「１」、「２」、「３」、・・・「０」の１０字のいずれの１文字も入力できる。
残りの１２個のキーには英語で使用する記号・機能キーを割り振ることができる。
また、２２９−１シフトキーを押しながら、他の残りの９本の指で前記と同じアルファベットのキーを押すとアルファベットの大文字「Ａ」から「Ｚ」まで２６文字を入力することができる。
２１５ジョイキーは日本語入力待ちの状態ではカーソルを上下左右に移動するキーであるが、文字を入力後は下側のキーを押すと漢字変換に変換し、上側を押すと全角カタカナに変換し、もう一度押すと半角カタカナに変換する。２１５ジョイキーの中央部を押すと決定キーの役目を果たし、変換した文字を確定することができる。これは従来のジョイキーの役目と同じである。
図１２はキーに対する入力文字の表を示している。これによって「ひらがな」、「カタカナ」、「漢字」、「全角数字」、「半角数字」、「記号」、「アルファベット大文字」、「アルファベット小文字」をシフトキーの切替とジョイキーで入力できるので携帯電話機により高速に大量の文書を入力できる。
２２７−２、２２７−３、２２８−２、２２８−３、２２９−２、２２９−３キーの６個には「ＢＳ」、「、」、「。」、「ＲＴ」、「ＳＰ」、「ＤＥＬ」キー等の機能キー、漢字変換キー、決定キーや変換を要しない文字を割り振り、文字入力速度を上げることができる。
本発明で英字入力する場合を念のために説明すると、大文字「Ｃ」を入力する場合は、図５に示すように右手親指で図４の右側面の２２９−１キーを押した状態で左側面の２２５−２キーを１回押せばよい。また、アルファベットの小文字「ｃ」を入力する場合は右手親指で右側面の２２８−１キーを押した状態で左側面の２２５−２キーを１回押せば良い。
この発明の特に優れている特徴は右側面の右手親指が担当するキーの切替無しで残っている９本の指で約４８個のキーを押すことができるので、日本語の「ひらがな」約４８文字のいずれも１回のキー押下で入力できる点にある。
また、図１２に示すように右手親指でシフトキーを押しながら残りの９本の指で日本語の促音、記号、数字、アルファベットの大文字、小文字を１回のキー押下動作で直接入力できるという点にある。
ここで約４８個のキーという表現を用いているのは、左手小指のキーを３個程度増加して文字入力しても差し支えが無いということである。そういう意味でキーの数は数個程度増加しても減少しても本発明の範ちゅうに属する。
本発明により１個のキーの役割が「アルファベット・数字」と「ひらがな」の２種類に限定できるので、キーの位置を記憶し易く、一般に使用されている机上のパーソナルコンピューターのキーボード程度の練習でブラインドタッチができる。
日本語入力において、ローマ字入力を選択して入力したい場合は、モードキーでモードを変えて、アルファベット２６字を割り振られているキーを押すとアルファベットは自動的に「ひらがな」に変換される。そしてジョイキーにより漢字又はカタカナに変換し、目的の文字を確定することができる。これは押下するキーの配置位置が異なるだけで机上のパーソナルコンピューターで従来より使用している「日本語のローマ字入力」と使い方は基本的には同じである。
右側面の右手親指が担当するキーの切替無しでアルファベット２６字が入力できるという特徴は、日本語をローマ字入力方法で入力する際にキーの位置を２６字覚えれば良いという利点が生じる。そして日本語のローマ字入力方法ではアルファベットの「Ｃ」、「Ｆ」、「Ｊ」、「Ｌ」、「Ｑ」、「Ｖ」、「Ｘ」の７文字は使用しないのでアルファベット１９文字で日本語の「かな文字」が入力できるので、残りの２９文字を日本語でよく使う「、」、「。」、「ＲＥＴ」、「ＤＥＬ」、「スペース」、「ＢａｃｋＳｐａｃｅ」、数字や特殊文字の集合キー等に割り振ることができる。そうするとモード切替キーを押さない状態で続けて全部の「ひらがな」を連続して入力でき、右手親指はジョイキーに常駐し「漢字」又は「カタカナ」変換専用に使用できるので超高速の文字入力ができる。
このように本発明は英語でも日本語でもその他の言語でも応用できるものである。
右側面の２１５ジョイキーは０２ディスプレイ上のカーソルを上下左右へ移動することが主な仕事になるが、日本語の漢字入力の場合の「ひらがな」より「漢字」、「カタカナ」への変換キーとしても使用することができる。
２１５ジョイキーでモードを切り替えることにより自国語入力モードにし、２２７−１キーを自国語（日本語では「ひらがな」、中国では「漢字」、韓国では「ハングル文字」）用のシフトキー、２２８−１、２２９−１キーの２個を英語・数字のシフトキーとして使用することができる。そうすると自国語の入力中にモードの切り替え無しでシフトキーの操作のみで母国語と英語・数字も挿入できる。
本発明の携帯電話機で、ディスプレイの中で既に作成した電子メール文等のコピー、切取り及び貼付け作業を行う時の、メール文の一部分のコピーをして別の位置に貼付けを行う場合を説明する。
まず、２１５ジョイキーでコピーする文章の始点にカーソルを移動し、２３５−１キーを左手小指で押しながら２１５ジョイキーでカーソルを終点まで移動した後左手小指のキーを離す。次に２１５ジョイキーでカーソルを目的の貼付け位置に移動し、２１５ジョイキー中央の決定ボタンを押すと貼付けができる。従来は合計１２であったものが合計４の個別作業で可能になる。
切取り及び貼付け作業を行う時は２１５−２機能キーを使用する。２１５−３機能キーは使用頻度の少ない機能の目的（電話番号、メールアドレス、住所、氏名等の挿入等）のためにメニューを使用すると、速度は遅くなるが多目的に使用できる。
本発明を利用すると、文字入力速度は片手の親指のみを使用するキーの配置よりも約５倍に速くなる。
当然の如く、単に携帯電話機で片手で電話番号を押して電話する場合も、モードを切り替えることにより、２２２、２２３、２２４、２２５、２２６の１列と２列のキーに数字１、２、・・、９，０を設定して片手で押し易いようにして入力することもできる。
両手が使える状態では図５に示す使い方になる。やむを得ず、片手のみしか使えない状態（電車の吊り革に掴まっている状態）等では、たとえば２２７−３キーを３秒程度長く１回押して片手モードに切り替えることができる。更にもう１回短く押すと両手のモードに切り替わる。代わりに２１５ジョイキーでモードを切り替えることもできる。
図６は図４の携帯電話機を本発明の右手片手モードで使用している図である。図６はまた、右手で保持し保持した方の片手５本の指を常時文字入力手段のホームポジションに配置した概観を示している。
ここで言う片手モードというのは左側面キーは２２０、２２２、２２４、２２６キーの４行３列１２個、右側面の２１５ジョイキーと２２７−１、２２７−２、２２８−１、２２８−２、２２９−１、２２９−２キーの６個が文字入力制御権を得て、残りの左側面の２１６、２１７、２１８、２１９、２２１、２２３、２２５キーの７行３列２１個及び右側面の２２８−３，２２９−３、２３０、２３１、２３２、２３３、２３４キー、２３５機能キーの２０個が全て無効になるモードである。
片手モードの場合は右側面の右手の親指で押すシフトキーが６個あり、それぞれ押すと６通り、何も押さないのが１通りで計７通りである。左側面のキーが１２個あるので、７通り掛け１２で合計８４文字が入力できる。
一般に数字が混入している英語は８０文字で十分入力できる。
従来の正面の１２個のキーが左側面に移動したと考えても良い。右側面のシフトキー６個を使い分けることにより、従来のモード変換の代わりにシフトキーを使うことで高速の文字入力ができる。
図４の携帯電話機において、小型で持ち運びを便利にするために図２に示す携帯電話機のように長手方向の概略中央部に１４ヒンジ機構を設けて、概略中央部で２つに折り畳むこともできる。
図４は携帯電話機において、キーに対応した入力文字を案内するために、携帯電話機の本体正面のキーの近傍に、キーに対応する入力文字を常時印字表示したものである。本発明の携帯電話機や小型ＰＤＡ機器の文字入力時に便利である。
図５と図６は図４の携帯電話機において、モード切替キーと親指が選択したシフトキーの状態に対応した入力文字を案内するために、携帯電話機のディスプレイに親指が選択したシフトキーに対応して、現状のモードで入力可能な文字を表示している。例えば図５のように表示された状態で左側面の一番上の２１６−１キーを押すとディスプレイの一番上の左側の文字「あ」を入力できる。親指が別のシフトキーを選択するとそれに応じてディスプレイに表示される文字内容も変わる。図６に示す携帯電話機の例は片手モードで左側面のキーの数が１２個であるから、ディスプレイには１２個の文字が表示される。携帯電話機の小さいディスプレイの中でキー入力の案内を有効に活用できる。
図１５は本発明の両手で把持し両手の指１０本で英語及びその他の言語を文字入力できる携帯電話機の超高速文字入力装置の１例である。
この装置は０１本体、０２ディスプレイ、０３アンテナ、０４スピーカ、０５マイクロホン、左側面は８３−１、８３−２のように１行で２列のキーがあり、８４、８５、８６、８７、８８、８９、９０、９１もそれぞれ２列あり、計９行２列で１８個のキー、右側面は８２ジョイキーと７９、９２、９３、９４、９５、９６、９７、９８、９９、１００キーが１０行２列で計２０個と２０１指、指のホームポジション位置を確認するために２０８フレームに設けられた２０６窪み、指の触覚で指の現在位置を確認するためにフレームに設けられた２０７突起、キーを押さない時指を置く２０８フレームより構成されている。
図１６は図１５の携帯電話機に文字を両手１０本の指で入力中の概観図である。
図１６はまた、両手で把持し両手１０本の指を文字入力手段のホームポジションに配置した概観を示している。
図１６に示すように、右側面の８２ジョイキーと９２、９３、９４キーの３行２列６個を右手の親指が担当し、左側面の８３、８４キー２行２列４個を右手人差し指、８５キーの２個を右手中指、８６キーの２個を右手薬指、８７、８８キーの２行２列４個を右手小指がそれぞれ担当する。
左側面の８９、９０、９１キーの３行２列６個を左手親指が担当し、右側面の９５、９６キーの２行２列４個を左手人差し指が担当し、９７キーの２個を左手中指、９８キーの２個を左手薬指、９９、１００キーの２行２列４個を左手小指がそれぞれ担当する。
また、図１７は図１５の携帯電話機のキーに「アルファベット」２６文字と「数字」１０文字他を割当てた例である。
アルファベットの小文字「ｃ」を入力する場合は他の指で何のキーも押さない状態で左側面の９１−２キーを左手親指で１回押せば良い。
また、大文字「Ｃ」を入力する場合は、図１６に示すように右手小指で左側面の８８−２シフトキーを押した状態で左側面の９１−２キーを左手親指で１回押せばよい。
また、アルファベットの小文字「ｒ」を入力する場合は他の指で何のキーも押さない状態で左側面の８３−２キーを右手人差し指で１回押せば良い。
また、大文字「Ｒ」を入力する場合は、図１６に示すように左手小指で右側面の１００−２シフトキーを押した状態で左側面の８３−２キーを右手人差し指で１回押せばよい。
他の指で何のキーも押さない状態で１０本の指で２６個のキーを押すとアルファベットの小文字「ａ」から「ｚ」まで２６文字を入力できる。８８−２又は１００−２シフトキーを押した状態で同様のキーを押すとアルファベットの大文字「Ａ」から「Ｚ」まで２６文字が入力できる。
次に８８−１又は１００−１シフトキーを押した状態で８３−２、８４−２、８５−２、８６−２、８７−２、９５−２、９６−２、９７−２、９８−２、９９−２キーを押すとそれぞれ数字の「１」、「２」、「３」、「４」、「５」、「６」、「７」、「８」、「９」、「０」を入力できる。
８８又は１００シフトキーは小指の代わりに位置を移動して人差し指、中指又は薬指に割り当てることもできる。
アルファベットの大文字入力も数字の入力の場合もシフトキーは文字を入力する方の手とは異なる方の手の小指を使用した方が入力し易い。
数字が割当てられていない残りの１６個のキーには記号を割当てることができる。この記号キーの内の１文字分を特殊記号の集合の代表キーに指定すると特定の１文字分を入力し、次に引き続いて８２ジョイキーを繰り返し動かすことにより多数の特殊記号の中の１つを選択し、８２ジョイキーの中央部を押圧することにより選択した記号の１つを確定することができる。代表キーは１６個まで増加できる。
さらに、右側面の９２、９３、９４キーの６個はアルファベットが割当てられていないので「ＤＥＬ」、「ＲＴ」キーの機能キーや「スペース」、「．」、「，」、「？」キー等の特に使用頻度の高いキーを割り振ることができる。
この発明の特に優れている特徴はシフトキーの切替無しで１０本の指で少なくとも２６個のキーを押すことができるので、アルファベットの２６文字のいずれの１文字も入力できるという点にある。シフトキー４個を使い分ければ通常の数字及び記号混じりの英文を作成できる。
本発明により１個のキーの役割が２種類（アルファベットと数字・記号）に限定できるので使用する指と文字位置とを記憶し易いので、ブラインドタッチが極端に易しくなる。
日本語入力において、ローマ字入力を選択して入力したい場合は、８２ジョイキーでモードを変えて、アルファベット２６字を割り振られているキーを押すとアルファベットは自動的に「ひらがな」に変換される。そして８２ジョイキーにより漢字又はカタカナに変換し、目的の文字を確定することができる。これは押下するキーの配置位置が異なるだけで机上のパーソナルコンピューターで従来より使用している「日本語のローマ字入力」と使い方は基本的には同じである。
シフトキーの切替無しでアルファベット２６字が入力できるという特徴は、日本語をローマ字入力方法で入力する際にキーの位置を２６字覚えれば良いという利点が生じる。
日本語のローマ字入力方法ではアルファベットの「Ｃ」、「Ｆ」、「Ｊ」、「Ｌ」、「Ｑ」、「Ｖ」、「Ｘ」の７文字は使用しないのでアルファベット１９文字で日本語の「かな文字」が入力できるので、残りの７文字を日本語でよく使う「、」、「。」、「ＲＥＴ」、「ＤＥＬ」、「スペース」、「ＢａｃｋＳｐａｃｅ」、数字や特殊文字の集合キー等に割り振ることができる。そうするとシフトキーを押さない状態で続けて全部の「ひらがな」を連続して入力でき、右手親指はジョイキーに常駐し「漢字」変換専用に使用できるので超高速の文字入力ができる。
８２ジョイキーは日本語入力待ちの状態ではカーソルを上下左右に移動するキーであるが、文字を入力後は下側のキーを押すと漢字変換に変換し、上側を押すと全角カタカナに変換し、もう一度上側を押すと半角カタカナに変換する。８２ジョイキーの中央部を押すと決定キーの役目を果たし、変換した文字を確定することができる。これらは従来のジョイキーの役目と同じである。
このように本発明は英語だけで無く日本語でも、中国語、ハングル文字、その他の言語でも約２６文字で変換できる言語なら何語でも応用できるものである。
図１５のＸ−Ｘ断面とＹ視に示しているのは２列の隣り合ったキーに入力誤り無く文字を入力できるように工夫した発明である。
図１５のＸ−Ｘ断面は２０１指、２０８フレーム、９０−１、９０−２キー及び０１本体より構成されている。
Ｘ−Ｘ断面に示しているのは隣り合った９０−１、９０−２キーの間にキーより高さが高い２０８フレームを設けてある。反対側面のキー操作で押す力の反力を指で受け持つために指を置くためのフレームである。２０８フレーム上に２０１指を置いておくと反対側面のキー操作力の反力を２０８フレーム上の２０１指で受け持っても誤って不要な９０−１、９０−２キーを押さないように９０−１、９０−２キーの高さより２０８フレームの高さを高くしてある。２０８フレームに２０１指を置いた位置より２０１指を移動せずに隣り合った９０−１、９０−２キーのいずれも押圧することができる。
また、ブラインドタッチで入力するので指のホームポジションを確認するために図１５の２０７黒丸印に示すフレームの特定の場所の表面に指の触覚で確認できる突起が付けてある。
また、ブラインドタッチで入力するので指のホームポジションを確認するために図１５のＹ視に示すように、２０８フレームの表面に少なくとも１０本の指のホームポジションに、指が入る２０６窪みを設けて、ユーザーの１０本の指が窪みを触覚によって感知し、該１０本の指をホームポジションに誘導することができるようになっている。
図１５は携帯電話機において、キーに対応した入力文字を案内するために、携帯電話機の本体正面に、キーに対応する入力文字を常時印字表示したものである。本発明の携帯電話機や小型ＰＤＡ機器の文字入力時に便利である。
図１６は図１５の携帯電話機において、小指が選択したシフトキーの状態に対応した入力文字を案内するために、携帯電話機のディスプレイに小指が選択したキーに対応する入力文字を表示している。例えば図１６のように表示された状態で左側面の一番上の８３−１キーを押すとディスプレイの一番上の左側の文字「Ｇ」を入力できる。小指が別のキーを選択するとそれに応じてディスプレイに表示される文字内容も変わる。
また、片手しか使えない場合は図１５の８２ジョイキーで片手モードに切り替えて、８２ジョイキーと７９、９２、９３、９４、８７、８８、８９、９０、９１キーのみを有効なキーにして残りのキーを無効にする。
片手モードでは９２、９３、９４キーの６個をシフトキー又はモード切替キーに変更して８７、８８、８９、９０、９１キーの１０個を文字キーに変更して文字入力することができる。片手の指５本を全て使用するので従来の親指のみの場合よりも速く文字入力できる。片手モードは図６に示すように片手で把持する。他の例の携帯電話機も片手で操作できるキーを有効にして他の残りのキーを無効にすることにより両手に比較して制限された機能で片手モードを利用することができる。
次に自動車に装備された通信装置の発明を説明する。
将来の自動車の走行時にハンドルの操縦の不要な自動追従装置装備時や停車中の運転の安全性に影響の無い時間帯に外部との情報の送信受信に時間を有効に活用することができる。
図３３は本発明の自動車に乗車中に運転席で通信するため、自動車のハンドルに装備された、両手で掴み両手の指１０本で英語及びその他の国語を文字入力できる通信装置の１例である。
図３３は該ハンドルを自動車直進時のハンドル角度の状態を示したものである。
この装置は２０ハンドル、０２ディスプレイ、２０ハンドルの左側の左手人差し指、中指、薬指、小指で掴むハンドル表面に３０２−１、３０２−２キーのように１行で２列のキーがあり、３０３、３０４、３０５、３０６キーの５行２列、左手の親指で掴むハンドル表面に３０７、３０８、３０９キーの３行２列あり、計８行２列で１６個のキー、また、２０ハンドルの右側の右手人差し指、中指、薬指、小指で掴むハンドル表面に３１０、３１１、３１２、３１３、３１４キーの５行２列、右手の親指で掴むハンドル表面に３０１ジョイキーと３１８、３１５、３１６、３１７キーの４行２列あり、計９行２列で１８個のキー、２０１指、指のホームポジション位置を確認するために３１９フレームに設けられた２０６窪み、指の触覚で指の現在位置を確認するためにフレームに設けられた２０７突起、キーを押さない時指を置く３１９フレームより構成されている。親指と他の４本の指との間で挟んでハンドルを掴むので、親指の担当するキーの位置と他の４本の指が担当するキーの位置とは互いにハンドルの被把持部分の概略反対側面となる。
図３４は図３３の通信装置に文字を両手１０本の指で入力中の概観図である。
図３４はまた、両手で掴み両手１０本の指を文字入力手段のホームポジションに配置した概観を示している。両手共に親指と他の残りの４本の指との間でハンドルの被把持部分を挟んで把持し、運転席近傍に備えられた０２ディスプレイを見ながらキー入力する。３１８キーの２個は電源キーと通話キーである。
図３４に示すように、２０ハンドルの右側の３０１ジョイキーと３１８、３１５、３１６、３１７キーの４行２列８個を右手の親指が担当し、同ハンドルの右側の３１０、３１１キーの２行２列４個を右手人差し指、３１２キーの２個を右手中指、３１３キーの２個を右手薬指、３１４キーの２個を右手小指がそれぞれ担当する。
また、２０ハンドルの左側の３０７、３０８、３０９キーの３行２列６個を左手の親指が担当し、同ハンドルの左側の３０２、３０３キーの２行２列４個を左手人差し指、３０４キーの２個を左手中指、３０５キーの２個を左手薬指、３０６キーの２個を左手小指がそれぞれ担当する。
また、図３５は図３３の通信装置のキーに「アルファベット」２６文字と「数字」１０文字他を割当てた例である。
アルファベットの小文字「ｃ」を入力する場合は他の指で何のキーも押さない状態で左側の３０９−２キーを左手親指で１回押せば良い。
また、大文字「Ｃ」を入力する場合は、図３３に示すように右手親指で右側の３１５−２シフトキーを押した状態で左側の３０９−２キーを左手親指で１回押せばよい。
また、アルファベットの小文字「ｒ」を入力する場合は他の指で何のキーも押さない状態で右側の３１０−２キーを右手人差し指で１回押せば良い。
また、大文字「Ｒ」を入力する場合は、図３３に示すように右手親指で右側の３１５−２シフトキーを押した状態で右側の３１０−２キーを右手人差し指で１回押せばよい。
他の指で何のキーも押さない状態で９本の指で２６個のキーを押すとアルファベットの小文字「ａ」から「ｚ」までのいずれの２６文字も入力できる。右手親指で右側の３１５−２シフトキーを押した状態で同様のキーを押すとアルファベットの大文字「Ａ」から「Ｚ」までのいずれの２６文字も入力できる。
次に３１５−１シフトキーを押した状態で３０２−２、３０３−２、３０４−２、３０５−２、３０６−２、３１０−２、３１１−２、３１２−２、３１３−２、３１４−２キーを押すとそれぞれ数字の「１」、「２」、「３」、「４」、「５」、「６」、「７」、「８」、「９」、「０」を入力できる。
数字が割当てられていない残りの１６個のキーには記号を割当てることができる。
さらに、右側面の３１６、３１７キーの４個はアルファベットが割当てられていないので「ＤＥＬ」キーの機能キーや「スペース」、「．」、「，」キー等の特に使用頻度の高いキーを割り振ることができる。
この発明の特に優れている特徴はシフトキーの切替無しで１０本の指で少なくとも２６個のキーを押すことができるので、アルファベットの２６文字のいずれの１文字も１回のキー押圧動作で入力できるという点にある。シフトキー２個を使い分ければ通常の数字及び記号混じりの英文を作成できる。
本発明により１個のキーの役割が２種類（アルファベットと数字・記号）に限定できるので使用する指と文字位置とを記憶し易いので、ブラインドタッチが極端に易しくなる。
日本語入力において、ローマ字入力を選択して入力したい場合は、３０１ジョイキーでモードを変えて、アルファベット２６字を割り振られているキーを押すとアルファベットは自動的に「ひらがな」に変換される。そして３０１ジョイキーにより漢字又はカタカナに変換し、目的の文字を確定することができる。これは押下するキーの配置位置が異なるだけで机上のパーソナルコンピューターで従来より使用している「日本語のローマ字入力」と使い方は基本的には同じである。
「日本語のローマ字入力」とアジアの中国語、韓国語も使い方は基本的には同じ前記の例と全く同じであるから説明は省略する。
図３３のＸ−Ｘ断面とＹ視に示しているのは２列の隣り合ったキーに入力誤り無く文字を入力できるように工夫した発明である。
図３３のＸ−Ｘ断面は２０１指、３１９フレーム、３０８−１、３０８−２キー及び２０ハンドルより構成されている。
Ｘ−Ｘ断面に示しているのは隣り合った３０８−１、３０８−２キーの間にキーより高さが高い３１９フレームを設けてある。反対側面のキー操作で押す力の反力を指で受け持つために指を置くためのフレームである。３１９フレーム上に２０１指を置いておくと反対側面のキー操作力の反力を３１９フレーム上の２０１指で受け持っても誤って不要な３０８−１、３０８−２キーを押さないように３０８−１、３０８−２キーの高さより３１９フレームの高さを高くしてある。３１９フレームに２０１指を置いた位置より２０１指を移動せずに隣り合った３０８−１、３０８−２キーのいずれも押圧することができる。
また、ブラインドタッチで入力するので指のホームポジションを確認するために図３３の２０７黒丸印に示すフレームの特定の場所の表面に指の触覚で確認できる突起が付けてある。
また、ブラインドタッチで入力するので指のホームポジションを確認するために図３３のＹ視に示すように、３１９フレームの表面に少なくとも１０本の指のホームポジションに、指が入る２０６窪みを設けて、ユーザーの１０本の指が窪みを触覚によって感知し、該１０本の指をホームポジションに誘導することができるようになっている。
図３３は通信装置において、キーに対応した入力文字を案内するために、通信装置の本体正面に、キーに対応する入力文字を常時印字表示したものである。本発明の通信装置の文字入力時に便利である。
図３４は図３３の通信装置において、親指が選択したシフトキーの状態に対応した入力文字を案内するために、通信装置のディスプレイに親指が選択したキーに対応する入力文字を表示している。例えば図３４のように表示された状態でハンドル右側の裏側の一番上の３１０−１キーを押すとディスプレイの一番上の右側の文字「Ｇ」を入力できる。別のシフトキーを選択するとそれに応じてディスプレイに表示される文字内容も変わる。
本発明はハンドル素材に文字入力手段（ジョイスティックとキー）を直接埋め込んで製作する必要は無く、文字入力手段をハンドルとは別に独立して製作し、本装置を未装備の自動車のハンドルに被せて取り付けることもできる。そうすると文字入力手段が故障した時は文字入力手段のみを取り外して容易に交換することもできる。
発明を実施するための最良の形態
実施例１
図４は本発明の両手で把持し両手の指１０本で日本語及び英語を文字入力できる携帯電話機の超高速文字入力装置の１例である。
この装置は０１本体、０２ディスプレイ、０３アンテナ、０４スピーカ、０５マイクロホン、左側面は２１６−１、２１６−２、２１６−３のように１行で３列のキーがあり、２１７、２１８、２１９、２２０、２２１、２２２、２２３、２２４、２２５、２２６もそれぞれ３列あり、計１１行３列で３３個のキー、右側面は２１５ジョイキーと２２７、２２８、２２９、２３０、２３１、２３２、２３３、２３４キーが８行３列で計２４個と２３５機能キー３個。そして、２０１指、指のホームポジション位置を確認するためにフレームに設けられた２０６窪み、指の触覚で指の現在位置を確認するためにフレームに設けられた２０７突起、キーを押さない時指を置く２０８フレームより構成されている。
図５は図４の携帯電話機に文字を両手１０本の指で入力中の概観図である。
図５はまた、両手で把持し両手１０本の指を文字入力手段のホームポジションに配置した概観を示している。
図５に示すように、右側面の２１５ジョイキーと２２７、２２８、２２９キーの３行３列９個を右手の親指が担当し、左側面の２１６、２１７キー２行３列６個を右手人差し指、２１８キーの３個を右手中指、２１９キーの３個を右手薬指、２２０、２２１キーの２行３列６個を右手小指がそれぞれ担当する。
左側面の２２２、２２３、２２４、２２５、２２６キーの５行３列１５個を左手親指が担当し、右側面の２３０、２３１キーの２行３列６個を左手人差し指が担当し、２３２キーの３個を左手中指、２３３キーの３個を左手薬指、２３４キーの３個と２３５機能キー３個を左手小指がそれぞれ担当する。
また、図１２は図４の携帯電話機のキーに「ひらがな」４８個と「アルファベット」と「数字」１０文字を割当てた発明である。
右手親指で何のキーも押さない状態で残りの９本の指で４８個のキーを押すことができるので「ひらがな」の「あ」、「い」、「う」、「え」、「お」、「か」、・・・・「ま」、「み」、「む」、「め」、「も」、「や」、「ゆ」、「よ」、「ら」、「り」、「る」、「れ」、「ろ」、「わ」、「を」、「ん」、濁音「゛」、半濁音「゜」の４８字を１回の押圧操作で入力できる。
ひらがなキーの配置は、キーが側面に配置されていて正面より直接キーが見えないので、「あいうえお」の順番を１列のキーに並べた配置にするのがユーザーにとっては文字位置を記憶し易い。ここで「わ」、「を」、「ん」のキー３個は他の「ひらがな」との関連が無いので左手親指が担当する位置に移動しても差し支えない。又は左手小指が担当する位置に移動しても同様の機能を発揮することができる。
上記の４８字は他の言語の約４８字であってもよい。また、言語によっては丁度４８字でなくても良い。例えば約３６字で十分な言語の場合は残りの１２字分を記号に割り振って良いし、足りなければ数個キーを追加しても良い。
また、右手の親指で２２７−１シフトキーを押しながら、他の指で前記文字と同じキーを１回押すことにより促音文字の「ぁ」、「ぃ」、「ぅ」、「ぇ」、「ぉ」、「ゃ」、「ゅ」、「ょ」、「っ」の９文字を入力可能できる。
また、２２７−１シフトキーを押した状態での残りの３９個のキーには日本語入力で使用する句読点及び記号等を割り振ることができる。
右手の親指で前記とは別の２２８−１シフトキーを押しながら残りの９本の指でキーを１回押すとアルファベットの小文字「ａ」から「ｚ」まで２６字及び数字「１」、「２」、「３」、・・・「０」の１０字のいずれの１文字も入力できる。
残りの１２個のキーには英語で使用する記号・機能キーを割り振ることができる。
また、２２９−１シフトキーを押しながら、他の残りの９本の指で前記と同じアルファベットのキーを押すとアルファベットの大文字「Ａ」から「Ｚ」まで２６文字を入力することができる。
２１５ジョイキーは日本語入力待ちの状態ではカーソルを上下左右に移動するキーであるが、文字を入力後は下側のキーを押すと漢字変換に変換し、上側を押すと全角カタカナに変換し、もう一度押すと半角カタカナに変換する。２１５ジョイキーの中央部を押すと決定キーの役目を果たし、変換した文字を確定することができる。これは従来のジョイキーの役目と同じである。
図１２はキーに対する入力文字の表を示している。これによって「ひらがな」、「カタカナ」、「漢字」、「全角数字」、「半角数字」、「記号」、「アルファベット大文字」、「アルファベット小文字」をシフトキーの切替とジョイキーで入力できるので携帯電話機により高速に大量の文書を入力できる。
２２７−２、２２７−３、２２８−２、２２８−３、２２９−２、２２９−３キーの６個には「ＢＳ」、「、」、「。」、「ＲＴ」、「ＳＰ」、「ＤＥＬ」キー等の機能キー、漢字変換キー、決定キーや変換を要しない文字を割り振り、文字入力速度を上げることができる。
本発明で英字入力する場合を念のために説明すると、大文字「Ｃ」を入力する場合は、図５に示すように右手親指で図４の右側面の２２９−１キーを押した状態で左側面の２２５−２キーを１回押せばよい。また、アルファベットの小文字「ｃ」を入力する場合は右手親指で右側面の２２８−１キーを押した状態で左側面の２２５−２キーを１回押せば良い。
この発明の特に優れている特徴は右側面の右手親指が担当するキーの切替無しで残っている９本の指で約４８個のキーを押すことができるので、日本語の「ひらがな」約４８文字のいずれも１回のキー押下で入力できる点にある。
また、図１２に示すように右手親指でシフトキーを押しながら残りの９本の指で日本語の促音、記号、数字、アルファベットの大文字、小文字を１回のキー押下動作で直接入力できるという点にある。
ここで約４８個のキーという表現を用いているのは、左手小指のキーを３個程度増加して文字入力しても差し支えが無いということである。そういう意味でキーの数は数個程度増加しても減少しても本発明の範ちゅうに属する。
本発明により１個のキーの役割が「アルファベット・数字」と「ひらがな」の２種類に限定できるので、キーの位置を記憶し易く、一般に使用されている机上のパーソナルコンピューターのキーボード程度の練習でブラインドタッチができる。
日本語入力において、ローマ字入力を選択して入力したい場合は、モードキーでモードを変えて、アルファベット２６字を割り振られているキーを押すとアルファベットは自動的に「ひらがな」に変換される。そしてジョイキーにより漢字又はカタカナに変換し、目的の文字を確定することができる。これは押下するキーの配置位置が異なるだけで机上のパーソナルコンピューターで従来より使用している「日本語のローマ字入力」と使い方は基本的には同じである。
右側面の右手親指が担当するキーの切替無しでアルファベット２６字が入力できるという特徴は、日本語をローマ字入力方法で入力する際にキーの位置を２６字覚えれば良いという利点が生じる。そして日本語のローマ字入力方法ではアルファベットの「Ｃ」、「Ｆ」、「Ｊ」、「Ｌ」、「Ｑ」、「Ｖ」、「Ｘ」の７文字は使用しないのでアルファベット１９文字で日本語の「かな文字」が入力できるので、残りの２９文字を日本語でよく使う「、」、「。」、「ＲＥＴ」、「ＤＥＬ」、「スペース」、「ＢａｃｋＳｐａｃｅ」、数字や特殊文字の集合キー等に割り振ることができる。そうするとモード切替キーを押さない状態で続けて全部の「ひらがな」を連続して入力でき、右手親指はジョイキーに常駐し「漢字」又は「カタカナ」変換専用に使用できるので超高速の文字入力ができる。
このように本発明は英語でも日本語でもその他の言語でも応用できるものである。
右側面の２１５ジョイキーは０２ディスプレイ上のカーソルを上下左右へ移動することが主な仕事になるが、日本語の漢字入力の場合の「ひらがな」より「漢字」、「カタカナ」への変換キーとしても使用することができる。
２１５ジョイキーでモードを切り替えることにより自国語入力モードにし、２２７−１キーを自国語（日本語では「ひらがな」、中国では「漢字」、韓国では「ハングル文字」）用のシフトキー、２２８−１、２２９−１キーの２個を英語・数字のシフトキーとして使用することができる。そうすると自国語の入力中にモードの切り替え無しでシフトキーの操作のみで母国語と英語・数字も挿入できる。
本発明の携帯電話機で、ディスプレイの中で既に作成した電子メール文等のコピー、切取り及び貼付け作業を行う時の、メール文の一部分のコピーをして別の位置に貼付けを行う場合を説明する。
まず、２１５ジョイキーでコピーする文章の始点にカーソルを移動し、２３５−１キーを左手小指で押しながら２１５ジョイキーでカーソルを終点まで移動した後左手小指のキーを離す。次に２１５ジョイキーでカーソルを目的の貼付け位置に移動し、２１５ジョイキー中央の決定ボタンを押すと貼付けができる。従来は合計１２であったものが合計４の個別作業で可能になる。
切取り及び貼付け作業を行う時は２１５−２機能キーを使用する。２１５−３機能キーは使用頻度の少ない機能の目的（電話番号、メールアドレス、住所、氏名等の挿入等）のためにメニューを使用すると、速度は遅くなるが多目的に使用できる。
本発明を利用すると、文字入力速度は片手の親指のみを使用するキーの配置よりも約５倍に速くなる。
当然の如く、単に携帯電話機で片手で電話番号を押して電話する場合も、モードを切り替えることにより、２２２、２２３、２２４、２２５、２２６の１列と２列のキーに数字１、２、・・、９，０を設定して片手で押し易いようにして入力することもできる。
両手が使える状態では図５に示す使い方になる。やむを得ず、片手のみしか使えない状態（電車の吊り革に掴まっている状態）等では、たとえば２２７−３キーを３秒程度長く１回押して片手モードに切り替えることができる。更にもう１回短く押すと両手のモードに切り替わる。代わりに２１５ジョイキーでモードを切り替えることもできる。
図６は図４の携帯電話機を本発明の右手片手モードで使用している図である。図６はまた、右手で保持し保持した方の片手５本の指を常時文字入力手段のホームポジションに配置した概観を示している。
ここで言う片手モードというのは左側面キーは２２０、２２２、２２４、２２６キーの４行３列１２個、右側面の２１５ジョイキーと２２７−１、２２７−２、２２８−１、２２８−２、２２９−１、２２９−２キーの６個が文字入力制御権を得て、残りの左側面の２１６、２１７、２１８、２１９、２２１、２２３、２２５キーの７行３列２１個及び右側面の２２８−３，２２９−３、２３０、２３１、２３２、２３３、２３４キー、２３５機能キーの２０個が全て無効になるモードである。
片手モードの場合は右側面の右手の親指で押すシフトキーが６個あり、それぞれ押すと６通り、何も押さないのが１通りで計７通りである。左側面のキーが１２個あるので、７通り掛け１２で合計８４文字が入力できる。
一般に数字が混入している英語は８０文字で十分入力できる。
従来の正面の１２個のキーが左側面に移動したと考えても良い。右側面のシフトキー６個を使い分けることにより、従来のモード変換の代わりにシフトキーを使うことで高速の文字入力ができる。
図４の携帯電話機において、小型で持ち運びを便利にするために図２に示す携帯電話機のように長手方向の概略中央部に１４ヒンジ機構を設けて、概略中央部で２つに折り畳むこともできる。
図４は携帯電話機において、キーに対応した入力文字を案内するために、携帯電話機の本体正面のキーの近傍に、キーに対応する入力文字を常時印字表示したものである。本発明の携帯電話機や小型ＰＤＡ機器の文字入力時に便利である。
図５と図６は図４の携帯電話機において、モード切替キーと親指が選択したシフトキーの状態に対応した入力文字を案内するために、携帯電話機のディスプレイに親指が選択したシフトキーに対応して、現状のモードで入力可能な文字を表示している。例えば図５のように表示された状態で左側面の一番上の２１６−１キーを押すとディスプレイの一番上の左側の文字「あ」を入力できる。親指が別のシフトキーを選択するとそれに応じてディスプレイに表示される文字内容も変わる。図６に示す携帯電話機の例は片手モードで左側面のキーの数が１２個であるから、ディスプレイには１２個の文字が表示される。携帯電話機の小さいディスプレイの中でキー入力の案内を有効に活用できる。
実施例２
図７は本発明の両手で把持し両手の指１０本で文字入力する携帯電話機の超高速文字入力装置の１例である。
この装置は０１本体、０２ディスプレイ、０３アンテナ、０４スピーカ、０５マイクロホン、１４ヒンジ機構、左側面は２４１−１、２４１−２、２４１−３のように１行で３列のキーがあり、２４２、２４３、２４４、２４５、２４６、２４７、２４８、２４９、２５０、２５１もそれぞれ３列あり、計１１行３列で３３個のキーと２３５機能キー３個、右側面は２４０ジョイキーと２５２、２５３、２５４、２５５、２５６、２５７、２５８、２５９キーが８行３列で計２４個。そして、２０１指、指のホームポジション位置を確認するためにフレームに設けられた２０６窪み、指の触覚で指の現在位置を確認するためにフレームに設けられた２０７突起、キーを押さない時指を置く２０８フレームより構成されている。
図８は図７の携帯電話機に文字を両手１０本の指で入力中の概観図である。
図８はまた、両手で把持し両手１０本の指を文字入力手段のホームポジションに配置した概観を示している。この把持方法は手の位置が自然の位置にあるのでユーザーの操作時の疲労度が非常に少ない。
両手入力時は図７の右側面をユーザーの正面に持って来る。０２ディスプレイは図７の格納状態より１４ヒンジ機構を中心にして９０度回転させると図８の状態になる。
図８は右利きのユーザーに便利である構造の携帯電話機の使用中の外観を示している。良く動く右手の親指に多くの細かい仕事が要求される２４０ジョイキーと２５２−１、２５３−１、２５４−１のシフトキーを操作させるからである。しかし、左利きのユーザーも右手を訓練することにより十分使用することができる。
図８に示すように、ユーザー正面の２４０ジョイキーと２５２、２５３、２５４キーの３行３列で計９個を右手の親指が担当し、ユーザーに対して裏面の２４１、２４２キーの６個を右手人差し指、２４３キー３個を右手中指、２４４キー３個を右手薬指、２４５、２４６キー６個を右手小指がそれぞれ担当し、ユーザー正面の２５５、２５６、２５７、２５８、２５９キーの１５個を左手の親指が担当し、ユーザーに対して裏面の２４７、２４８キーの６個を左手人差し指、２４９キー３個を左手中指、２５０キー３個を左手薬指、２５１キー３個と２３５機能キー３個を左手小指がそれぞれ担当する。
また、図１３は図７の携帯電話機のキーに「ひらがな」４８個と「アルファベット」２６個と「数字」１０文字を割当てた発明である。
本実施例は携帯電話機を把持する方法と文字位置が多少異なるだけで、実施例１と機能的に同じである。従って詳細は重複するので省略する。
図１３はキーに対する入力文字の表を示している。これによって「ひらがな」、「カタカナ」、「漢字」、「全角数字」、「半角数字」、「記号」、「アルファベット大文字」、「アルファベット小文字」をシフトキーの切替とジョイキーで入力できるので携帯電話機により高速に大量の文書を入力できる。
両手が使える状態では図８に示す使い方になる。やむを得ず、片手のみしか使えない状態（電車の吊り革に掴まっている状態）等では、たとえば２５２−３キーを３秒程度長く１回押して片手モードに切り替えることができる。更にもう１回短く押すと両手のモードに切り替わる。代わりに２４０ジョイキーでモードを切り替えることもできる。
図９は図７の携帯電話機を本発明の右手片手モードで使用している図である。図９はまた、右手で保持し保持した方の片手５本の指を常時文字入力手段のホームポジションに配置した概観を示している。
ここで言う片手モードというのは２４５、２４７、２４９、２５１キーを使用する以外は実施例１に示す使用方法と全く同じであるので詳細の説明は省略する。
図８は携帯電話機において、キーに対応した入力文字を案内するために、携帯電話機の本体の顔面の正面に、裏面キーの反対面近傍に（裏面キーを判別できるように）、キーに対応する入力文字を常時印字表示したものである。本発明の携帯電話機や小型ＰＤＡ機器の文字入力時に便利である。
図８と図９は図７の携帯電話機において、モード切替キーと親指が選択したシフトキーの状態に対応した入力文字を案内するために、携帯電話機のディスプレイに親指が選択したシフトキーに対応して、現状のモードで入力可能な文字を表示している。例えば図８のように表示された状態で左側面の一番上の２４１−１キーを押すとディスプレイの一番上の左から３個目の文字「あ」を入力できる。親指が別のシフトキーを選択するとそれに応じてディスプレイに表示される文字内容も変わる。図９に示す携帯電話機の例は片手モードで左側面のキーの数が１２個であるから、ディスプレイには１２個の文字が表示される。携帯電話機の小さいディスプレイの中でキー入力の案内を有効に活用できる。
実施例３
図１０は本発明の両手で保持し両手の指１０本で文字入力する携帯電話機の超高速文字入力装置の他の１例である。
この携帯電話機の特徴は左右２個の筐体を連結した携帯電話機であり、本のように左右に折り畳むことができる。ディスプレイが左右に計２面あり、一目で多くの文字情報等を認識できる電子手帳兼携帯電話機として文字を高速に入力できる。
この装置は０１本体が左右に２個、０２ディスプレイが左右に２個、０３アンテナ、０４スピーカー、０５マイクロホン、１４ヒンジ機構が上下に２個、１２１バーが４本、１２２バー収納溝が４個、左側の０１本体の左側面に２６１、２６２、２６３、２６４、２６５キーの５行３列で１５個、右側面に２６６、２６７、２６８、２６９、２７０キーの５行３列で１５個と２３５機能キー３個、右側の０１本体の左側面に２７１、２７２、２７３、２７４、２７５、２７６キーの６行３列で１８個のキーと右側面に２６０ジョイキーと２７７、２７８、２７９キーの３行３列で９個。そして、２０１指、指のホームポジション位置を確認するためにフレームに設けられた２０６窪み、指の触覚で指の現在位置を確認するためにフレームに設けられた２０７突起、キーを押さない時指を置く２０８フレームより構成されている。
図１１は図１０の携帯電話機に文字を両手１０本の指で入力中の概観図である。
図１１はまた、両手で保持し両手１０本の指を文字入力手段のホームポジションに配置した概観を示している。
両手入力時以外は左右の０１本体に左右から圧縮するように力を加え、１２１バーが１２２バー収納溝に押し込まれた後、１４ヒンジ機構により図１０の０２ディスプレイ背面同士が向かい合うように折り畳まれる。２個の０２ディスプレイは外側になる。
折り畳まれた時は通常の電話機として使用することもでき、０２ディスプレイに情報を表示でき、片手で情報の受信発信を両手と比べて制限されたキーの機能で果たすことができる。
図１１は図１０の携帯電話機の使用中の外観を示している。良く動く右手の親指に多くの細かい仕事が要求される２６０ジョイキーと２７７−１、２７８−１、２７９−１のシフトキーを操作させる。
図１１に示すように、左側の０１本体の左側面の２６１、２６２、２６３、２６４、２６５キーの５行３列で１５個を左手親指が担当し、右側面の２６６、２６７キーの２行３列で６個を左手人差し指、２６８キーの３個を左手中指、２６９キーの３個を左手薬指、２７０キーの３個と２３５機能キー３個を左手小指が担当し、右側の０１本体の左側面の２７１、２７２キー２行３列で６個を右手人差し指、２７３キーの３個を右手中指、２７４キーの３個を右手薬指、２７５、２７６キーの６個を右手小指が担当し、右側面の２６０ジョイキーと２７７、２７８、２７９キーの３行３列で９個を右手親指がそれぞれ担当する。
また、図１４は図１０の携帯電話機のキーに「ひらがな」４８個と「アルファベット」と「数字」１０文字を割当てた発明である。
右手親指で何のキーも押さない状態で残りの９本の指で４８個のキーを押すことができるので「ひらがな」の「あ」、「い」、「う」、「え」、「お」、「か」、・・・・「ま」、「み」、「む」、「め」、「も」、「や」、「ゆ」、「よ」、「ら」、「り」、「る」、「れ」、「ろ」、「わ」、「を」、「ん」、濁音「゛」、半濁音「゜」の４８字を１回の押圧操作で入力できる。
ひらがなキーの配置は、キーが側面に配置されていて正面より直接キーが見えないので、「あいうえお」の順番を１列のキーに並べた配置にするのがユーザーにとっては文字位置を記憶し易い。
本実施例は携帯電話機の構造とそれに伴う両手の把持方法が異なるだけで、実施例１と２に示している使用方法と基本的に同じである。
図１４はキーに対する入力文字の表を示している。これによって「ひらがな」、「カタカナ」、「漢字」、「全角数字」、「半角数字」、「記号」、「アルファベット大文字」、「アルファベット小文字」をシフトキーの切替とジョイキーで入力できるので携帯電話機により高速に大量の文書を入力できる。
当然の如く、単に携帯電話機で片手で電話番号を押して電話する場合も、前述したように折り畳むことにより、それをセンサーで検出し、片手電話モードに切り替える。そして２７１、２７２、２７３、２７４、２７５キーの１列と２列のキーに数字１、２、・・、９，０を設定して片手で押し易いようにして入力することもできる。
両手が使える状態では図１１に示す使い方になる。やむを得ず、片手のみしか使えない状態（電車の吊り革に掴まっている状態）等では、前に述べたように折り畳んでモードを変換し文字入力片手モードで使用する。
ここで言う文字入力片手モードというのは右側本体の左側面キーは２７２、２７３、２７４、２７５キーの４行３列１２個、右側面の２６０ジョイキーと２７７−１、２７７−２、２７８−１、２７８−２、２７９−１、２７９−２キーの６個が文字入力制御権を得て、残りの左側本体の左右側面のキー全部と右側本体の２７１、２７６、２７８−３、２７９−３キーの８個が全て無効になるモードである。
文字入力片手モードの場合は右側面の右手の親指で押すシフトキーが６個あり、それぞれ押すと６通り、何も押さないのが１通りで計７通りである。左側面のキーが１２個あるので、７通り掛け１２で合計８４文字が入力できる。
一般に数字が混入している英語は８０文字で十分入力できる。
従来の正面の１２個のキーが左側面に移動したと考えても良い。右側面のシフトキー６個を使い分けることにより、従来のモード変換の代わりにシフトキーを使うことで高速の文字入力ができる。
図１０は携帯電話機において、キーに対応した入力文字を案内するために、携帯電話機の本体正面のキーの近傍に、キーに対応する入力文字を常時印字表示したものである。本発明の携帯電話機や小型ＰＤＡ機器の文字入力時に便利である。
図１１は図１０の携帯電話機において、モード切替キーと親指が選択したシフトキーの状態に対応した入力文字を案内するために、携帯電話機のディスプレイに親指が選択したシフトキーに対応して、現状のモードで入力可能な文字を表示している。使用方法は実施例１と同じであるので省略する。
実施例４
図１５は本発明の両手で把持し両手の指１０本で英語及びその他の言語を文字入力できる携帯電話機の超高速文字入力装置の１例である。
この装置は０１本体、０２ディスプレイ、０３アンテナ、０４スピーカ、０５マイクロホン、左側面は８３−１、８３−２のように１行で２列のキーがあり、８４、８５、８６、８７、８８、８９、９０、９１もそれぞれ２列あり、計９行２列で１８個のキー、右側面は８２ジョイキーと７９、９２、９３、９４、９５、９６、９７、９８、９９、１００キーが１０行２列で計２０個と２０１指、指のホームポジション位置を確認するために２０８フレームに設けられた２０６窪み、指の触覚で指の現在位置を確認するためにフレームに設けられた２０７突起、キーを押さない時指を置く２０８フレームより構成されている。
図１６は図１５の携帯電話機に文字を両手１０本の指で入力中の概観図である。
図１６はまた、両手で把持し両手１０本の指を文字入力手段のホームポジションに配置した概観を示している。７９キーの２個は電源キーと通話キーである。
図１６に示すように、右側面の８２ジョイキーと９２、９３、９４キーの３行２列６個を右手の親指が担当し、左側面の８３、８４キーの２行２列４個を右手人差し指、８５キーの２個を右手中指、８６キーの２個を右手薬指、８７、８８キーの２行２列４個を右手小指がそれぞれ担当する。
左側面の８９、９０、９１キーの３行２列６個を左手親指が担当し、右側面の９５、９６キーの２行２列４個を左手人差し指が担当し、９７キーの２個を左手中指、９８キーの２個を左手薬指、９９、１００キーの２行２列４個を左手小指がそれぞれ担当する。
また、図１７は図１５の携帯電話機のキーに「アルファベット」２６文字と「数字」１０文字他を割当てた例である。
アルファベットの小文字「ｃ」を入力する場合は他の指で何のキーも押さない状態で左側面の９１−２キーを左手親指で１回押せば良い。
また、大文字「Ｃ」を入力する場合は、図１６に示すように右手小指で左側面の８８−２シフトキーを押した状態で左側面の９１−２キーを左手親指で１回押せばよい。
また、アルファベットの小文字「ｒ」を入力する場合は他の指で何のキーも押さない状態で左側面の８３−２キーを右手人差し指で１回押せば良い。
また、大文字「Ｒ」を入力する場合は、図１６に示すように左手小指で右側面の１００−２シフトキーを押した状態で左側面の８３−２キーを右手人差し指で１回押せばよい。
他の指で何のキーも押さない状態で１０本の指で２６個のキーを押すとアルファベットの小文字「ａ」から「ｚ」まで２６文字を入力できる。８８−２又は１００−２シフトキーを押した状態で同様のキーを押すとアルファベットの大文字「Ａ」から「Ｚ」まで２６文字が入力できる。
次に８８−１又は１００−１シフトキーを押した状態で８３−２、８４−２、８５−２、８６−２、８７−２、９５−２、９６−２、９７−２、９８−２、９９−２キーを押すとそれぞれ数字の「１」、「２」、「３」、「４」、「５」、「６」、「７」、「８」、「９」、「０」を入力できる。
８８又は１００シフトキーは小指の代わりに人差し指、中指又は薬指に割り当てることもできる。
アルファベットの大文字入力も数字の入力の場合もシフトキーは文字を入力する方の手とは異なる方の手の小指を使用した方が入力し易い。
数字が割当てられていない残りの１６個のキーには記号を割当てることができる。この内の１文字分を特殊記号の集合の代表キーに指定すると特定の１文字分を入力し、次に引き続いて８２ジョイキーを繰り返し動かすことにより多数の特殊記号の中の１つを選択し、８２ジョイキーの中央部を押圧することにより選択した記号の１つを確定することができる。代表キーは１６個まで増加できる。
さらに、右側面の９２、９３、９４キーの６個はアルファベットが割当てられていないので「ＤＥＬ」、「ＲＴ」キーの機能キーや「スペース」、「．」、「，」、「？」キーの特に使用頻度の高いキーを割り振ることができる。
この発明の特に優れている特徴はシフトキーの切替無しで１０本の指で少なくとも２６個のキーを押すことができるので、アルファベットの２６文字のいずれの１文字も入力できるという点にある。シフトキー４個を使い分ければ通常の数字及び記号混じりの英文を作成できる。
本発明により１個のキーの役割が２種類（アルファベットと数字・記号）に限定できるので使用する指と文字位置とを記憶し易いので、ブラインドタッチが極端に易しくなる。
日本語入力において、ローマ字入力を選択して入力したい場合は、８２ジョイキーでモードを変えて、アルファベット２６字を割り振られているキーを押すとアルファベットは自動的に「ひらがな」に変換される。そして８２ジョイキーにより漢字又はカタカナに変換し、目的の文字を確定することができる。これは押下するキーの配置位置が異なるだけで机上のパーソナルコンピューターで従来より使用している「日本語のローマ字入力」と使い方は基本的には同じである。
シフトキーの切替無しでアルファベット２６字が入力できるという特徴は、日本語をローマ字入力方法で入力する際にキーの位置を２６字覚えれば良いという利点が生じる。
日本語のローマ字入力方法ではアルファベットの「Ｃ」、「Ｆ」、「Ｊ」、「Ｌ」、「Ｑ」、「Ｖ」、「Ｘ」の７文字は使用しないのでアルファベット１９文字で日本語の「かな文字」が入力できるので、残りの７文字を日本語でよく使う「、」、「。」、「ＲＥＴ」、「ＤＥＬ」、「スペース」、「ＢａｃｋＳｐａｃｅ」、数字や特殊文字の集合キー等に割り振ることができる。そうするとシフトキーを押さない状態で続けて全部の「ひらがな」を連続して入力でき、右手親指は８２ジョイキーに常駐し「漢字」変換専用に使用できるので超高速の文字入力ができる。
８２ジョイキーは日本語入力待ちの状態ではカーソルを上下左右に移動するキーであるが、文字を入力後は下側のキーを押すと漢字変換に変換し、上側を押すと全角カタカナに変換し、もう一度上側を押すと半角カタカナに変換する。８２ジョイキーの中央部を押すと決定キーの役目を果たし、変換した文字を確定することができる。これらは従来のジョイキーの役目と同じである。
このように本発明は英語だけで無く日本語でも、中国語、ハングル文字、その他の言語でも約２６文字で変換できる言語なら何語でも応用できるものである。
図１５のＸ−Ｘ断面とＹ視に示しているのは２列の隣り合ったキーに入力誤り無く文字を入力できるように工夫した発明である。
図１５のＸ−Ｘ断面は２０１指、２０８フレーム、９０−１、９０−２キー及び０１本体より構成されている。
Ｘ−Ｘ断面に示しているのは隣り合った９０−１、９０−２キーの間にキーより高さが高い２０８フレームを設けてある。反対側面のキー操作で押す力の反力を指で受け持つために指を置くためのフレームである。２０８フレーム上に２０１指を置いておくと反対側面のキー操作力の反力を２０８フレーム上の２０１指で受け持っても誤って不要な９０−１、９０−２キーを押さないように９０−１、９０−２キーの高さより２０８フレームの高さを高くしてある。２０８フレームに２０１指を置いた位置より２０１指を移動せずに隣り合った９０−１、９０−２キーのいずれも押圧することができる。
また、ブラインドタッチで入力するので指のホームポジションを確認するために図１５の２０７黒丸印に示すフレームの特定の場所の表面に指の触覚で確認できる突起が付けてある。
また、ブラインドタッチで入力するので指のホームポジションを確認するために図１５のＹ視に示すように、２０８フレームの表面に少なくとも１０本の指のホームポジションに、指が入る２０６窪みを設けて、ユーザーの１０本の指が窪みを触覚によって感知し、該１０本の指をホームポジションに誘導することができるようになっている。
図１５は携帯電話機において、キーに対応した入力文字を案内するために、携帯電話機の本体正面に、キーに対応する入力文字を常時印字表示したものである。本発明の携帯電話機や小型ＰＤＡ機器の文字入力時に便利である。
図１６は図１５の携帯電話機において、小指が選択したシフトキーの状態に対応した入力文字を案内するために、携帯電話機のディスプレイに小指が選択したキーに対応する入力文字を表示している。例えば図１６のように表示された状態で左側面の一番上の８３−１キーを押すとディスプレイの一番上の左側の文字「Ｇ」を入力できる。小指が別のキーを選択するとそれに応じてディスプレイに表示される文字内容も変わる。
また、片手しか使えない場合は図１５の８２ジョイキーで片手モードに切り替えて、８２ジョイキーと７９、９２、９３、９４、８７、８８、８９、９０、９１キーのみを有効なキーにして残りのキーを無効にする。
片手モードでは９２、９３、９４キーの６個をシフトキー又はモード切替キーに変更して８７、８８、８９、９０、９１キーの１０個を文字キーに変更して文字入力することができる。片手の指５本を全て使用するので従来の親指のみの場合よりも速く文字入力できる。片手モードは図６に示すように片手で把持する。他の例の携帯電話機も片手で操作できるキーを有効にして他の残りのキーを無効にすることにより両手に比較して制限された機能で片手モードを利用することができる。
実施例５
図１８は本発明の両手で把持し両手の指１０本で英語及びその他の言語を文字入力できる携帯電話機の超高速文字入力装置の１例である。
この装置は０１本体、０２ディスプレイ、０３アンテナ、０４スピーカ、０５マイクロホン、１４ヒンジ機構、左側面は１０２−１、１０２−２のように１行で２列のキーがあり、１０３、１０４、１０５、１０６、１０７、１０８、１０９、１１０、１１１、１１２、１１３キーもそれぞれ２列あり、計１２行２列で２４個のキー、右側面は１０１ジョイキーと１１４、１１５、１１６、１１７、１１８、１１９、１２０キーが７行２列で計１４個と２０１指、指のホームポジション位置を確認するために２０８フレームに設けられた２０６窪み、指の触覚で指の現在位置を確認するために２０８フレームに設けられた２０７突起、キーを押さない時指を置く２０８フレームより構成されている。
図１９は図１８の携帯電話機に文字を両手１０本の指で入力中の概観図である。
図１９はまた、両手で把持し両手１０本の指を文字入力手段のホームポジションに配置した概観を示している。この把持方法は手の位置が自然の位置にあるのでユーザーの操作時の疲労が非常に少ない。
両手で入力時は図１８の右側面をユーザーの正面に持って来る。０２ディスプレイは図１８の格納状態より１４ヒンジ機構を中心にして９０度回転させると図１９の状態になる。１１４キーの２個は電源キーと通話キーである。
図１９に示すように、右側面の１０１ジョイキーと１１５、１１６、１１７キーの３行２列６個を右手の親指が担当し、１１８、１１９、１２０キーの３行２列６個を左手の親指が担当する。
左側面の１０２、１０３キーの２行２列４個を右手人差し指、１０４キーの２個を右手中指、１０５キーの２個を右手薬指、１０６、１０７キーの２行２列４個を右手小指がそれぞれ担当する。
左側面の１０８、１０９キーの２行２列４個を左手人差し指が担当し、１１０キーの２個を左手中指、１１１キーの２個を左手薬指、１１２、１１３キーの２行２列４個を左手小指がそれぞれ担当する。
また、図２０は図１８の携帯電話機のキーに「アルファベット」２６文字と「数字」１０文字他を割当てた例である。
アルファベットの小文字「ｃ」を入力する場合は他の指で何のキーも押さない状態で右側面の１２０−２キーを左手親指で１回押せば良い。
また、大文字「Ｃ」を入力する場合は、図１９に示すように右手小指で左側面の１０７−２シフトキーを押した状態で右側面の１２０−２キーを左手親指で１回押せば良い。
また、アルファベットの小文字「ｒ」を入力する場合は他の指で何のキーも押さない状態で左側面の１０２−２キーを右手人差し指で１回押せば良い。
また、大文字「Ｒ」を入力する場合は、図１９に示すように左手小指で左側面の１１３−２シフトキーを押した状態で左側面の１０２−２キーを右手人差し指で１回押せばよい。
他の指で何のキーも押さない状態で１０本の指で２６個のキーを押すとアルファベットの小文字「ａ」から「ｚ」まで２６文字を入力できる。１０７−２又は１１３−２シフトキーを押した状態で同様のキーを押すとアルファベットの大文字「Ａ」から「Ｚ」まで２６文字が入力できる。
次に１０７−１又は１１３−１シフトキーを押した状態で１０２−２、１０３−２、１０４−２、１０５−２、１０６−２、１０８−２、１０９−２、１１０−２、１１１−２、１１２−２キーを押すとそれぞれ数字の「１」、「２」、「３」、「４」、「５」、「６」、「７」、「８」、「９」、「０」を入力できる。１０７又は１１３シフトキーは小指の代わりに人差し指、中指又は薬指に割り当てることもできる。
アルファベットの大文字入力も数字の入力の場合もシフトキーは文字を入力する方の手とは異なる方の手の小指を使用した方が入力し易い。
さらに、右側面の１１５、１１６、１１７キーの６個はアルファベットが割当てられていないので「ＤＥＬ」、「ＲＴ」キーの機能キーや「スペース」、「．」、「，」、「？」キーの特に使用頻度の高いキーを割り振ることができる。
その他の使用方法は実施例４と同じであるから説明を省略する。
実施例６
図２１は本発明の両手で保持し両手の指１０本で英語及びその他の言語を文字入力できる携帯電話機の超高速文字入力装置の他の１例である。
この携帯電話機の特徴は左右２個の筐体を連結した携帯電話機であり、本のように左右に折り畳むことができる。ディスプレイが左右に計２面あり、一目で多くの文字情報等を認識できる電子手帳兼携帯電話機として文字を高速に入力できる。
この装置は０１本体が左右に２個、０２ディスプレイが左右に２個、０３アンテナ、０４スピーカー、０５マイクロホン、１４ヒンジ機構が上下に２個、１２１バーが４本、１２２バー収納溝が４個、左側の０１本体の左側面に１２４、１２５、１２６キーの３行２列で６個、右側面に１２７、１２８、１２９、１３０、１３１、１３２キーの６行２列で１２個、右側の０１本体の左側面に１３３、１３４、１３５、１３６、１３７、１３８キーの６行２列で１２個のキーと右側面に１２３ジョイキーと１３９、１４０、１４１、１４２キーの４行２列で８個、指のホームポジション位置を確認するために２０８フレームに設けられた２０６窪み、指の触覚で指の現在位置を確認するために２０８フレームに設けられた２０７突起、キーを押さない時指を置く２０８フレームより構成されている。
図２２は図２１の携帯電話機に文字を両手１０本の指で入力中の概観図である。
図２２はまた、両手で保持し両手１０本の指を文字入力手段のホームポジションに配置した概観を示している。
両手入力時以外は左右の０１本体に左右から圧縮するように力を加え、１２１バーが１２２バー収納溝に押し込まれた後、１４ヒンジ機構により図２１の０２ディスプレイ背面同士が向かい合うように折り畳まれる。２個の０２ディスプレイは外側になる。０２ディスプレイ正面同士が向かい合うように折り畳まれてもよい。その場合は０４スピーカーと０５マイクロホンをディスプレイの背面側に付け、同背面側に補助ディスプレイを付けて電話情報に限った情報を表示するようにしても良い。
折り畳まれた時は通常の電話機として使用することもでき、０２ディスプレイに情報を表示でき、片手で情報の受信発信を両手と比べて制限されたキーの機能で果たすことができる。
図２２は図２１の携帯電話機の使用中の外観を示している。１３９キーの２個は電源キーと通話キーである。
図２２に示すように、左側の０１本体の左側面の１２４、１２５、１２６キーの３行２列で６個を左手親指が担当し、右側面の１２７、１２８キーの２行２列で４個を左手人差し指、１２９キーの２個を左手中指、１３０キーの２個を左手薬指、１３１、１３２キーの２行２列で４個を左手小指が担当し、右側の０１本体の左側面の１３３、１３４キー２行２列で４個を右手人差し指、１３５キーの２個を右手中指、１３６キーの２個を右手薬指、１３７、１３８キーの２行２列で４個を右手小指が担当し、右側面の１２３ジョイキーと１４０、１４１、１４２キーの３行２列で６個を右手親指がそれぞれ担当する。
また、図２３は図２１の携帯電話機のキーに「アルファベット」２６文字と「数字」１０文字他を割当てた例である。
アルファベットの小文字「ｃ」を入力する場合は他の指で何のキーも押さない状態で左側の０１本体の左側面の１２６−２キーを左手親指で１回押せば良い。
また、大文字「Ｃ」を入力する場合は、図２２に示すように右手小指で右側の０１本体の左側面の１３８−２シフトキーを押した状態で左側の０１本体の左側面の１２６−２キーを左手親指で１回押せば良い。
また、アルファベットの小文字「ｒ」を入力する場合は他の指で何のキーも押さない状態で右側の０１本体の左側面の１３３−２キーを右手人差し指で１回押せば良い。
また、大文字「Ｒ」を入力する場合は、図２２に示すように左手小指で左側の０１本体の右側面の１３２−２シフトキーを押した状態で右側の０１本体の左側面の１３３−２キーを右手人差し指で１回押せば良い。
他の指で何のキーも押さない状態で１０本の指で２６個のキーを押すとアルファベットの小文字「ａ」から「ｚ」まで２６文字を入力できる。１３２−２又は１３８−２シフトキーを押した状態で同様のキーを押すとアルファベットの大文字「Ａ」から「Ｚ」まで２６文字が入力できる。
次に１３２−１又は１３８−１シフトキーを押した状態で１２７−２、１２８−２、１２９−２、１３０−２、１３１−２、１３３−２、１３４−２、１３５−２、１３６−２、１３７−２キーを押すとそれぞれ数字の「１」、「２」、「３」、「４」、「５」、「６」、「７」、「８」、「９」、「０」を入力できる。１３２又は１３８シフトキーは小指の代わりに人差し指、中指又は薬指に割り当てることもできる。
アルファベットの大文字入力も数字の入力の場合もシフトキーは文字を入力する方の手とは異なる方の手の小指を使用した方が入力し易い。
さらに、右側面の１４０、１４１、１４２キーの６個はアルファベットが割当てられていないので「ＤＥＬ」、「ＲＴ」キーの機能キーや「スペース」、「．」、「，」、「？」キーの特に使用頻度の高いキーを割り振ることができる。
その他の使用方法は実施例４と同じであるから説明を省略する。
実施例７
図２４は本発明の両手で保持し両手の指１０本で英語及びその他の言語を文字入力できる携帯電話機の超高速文字入力装置の１例である。
この装置は０１本体、０２ディスプレイ、０３アンテナ、０４スピーカ、０５マイクロホン、左側面は４０２−１、４０２−２、４０２−３のように１行で３列のキーがあり、４０３、４０４、４０５、４０６、４０８、４０９、４１０もそれぞれ３列あり、計８行３列で２４個のキーと４０７シフトキー、右側面の４１１の２個は電源キーと通話キーである。右側面は４０１ジョイキーと４１２、４１３、４１４、４１５、４１６、４１７、４１８、４１９キーが８行３列で計２４個と４２０シフトキー、指のホームポジション位置を確認するために２０８フレームに設けられた２０６窪み、指の触覚で指の現在位置を確認するために２０８フレームに設けられた２０７突起、キーを押さない時指を置く２０８フレームより構成されている。
図２５は図２４の携帯電話機に文字を両手１０本の指で入力中の概観図である。
図２５はまた、両手で保持し両手１０本の指を文字入力手段のホームポジションに配置した概観を示している。
図２５に示すように、右側面の４０１ジョイキーと４１２、４１３、４１４キーの３行３列９個を右手の親指が担当し、左側面の４０２、４０３キーの２行３列６個を右手人差し指、４０４キーの３個を右手中指、４０５キーの３個を右手薬指、４０６キーの３個と４０７シフトキーを右手小指がそれぞれ担当する。
左側面の４０８、４０９、４１０キーの３行３列９個を左手親指が担当し、右側面の４１５、４１６キーの２行３列６個を左手人差し指が担当し、４１７キーの３個を左手中指、４１８キーの３個を左手薬指、４１９キーの３個と４２０シフトキーを左手小指がそれぞれ担当する。
また、図２６は図２４の携帯電話機のキーに「アルファベット」２６文字と「数字」１０文字他を割当てた例である。
アルファベットの小文字「ｃ」を入力する場合は他の指で何のキーも押さない状態で左側面の４１０−２キーを左手親指で１回押せば良い。
また、大文字「Ｃ」を入力する場合は、図２５に示すように右手小指で左側面の４０７シフトキーを押した状態で左側面の４１０−２キーを左手親指で１回押せば良い。
また、アルファベットの小文字「ｒ」を入力する場合は他の指で何のキーも押さない状態で左側面の４０２−２キーを右手人差し指で１回押せば良い。
また、大文字「Ｒ」を入力する場合は、図２５に示すように左手小指で右側面の４２０シフトキーを押した状態で左側面の４０２−２キーを右手人差し指で１回押せば良い。
他の指で何のキーも押さない状態で１０本の指で２６個のキーを押すとアルファベットの小文字「ａ」から「ｚ」まで２６文字を入力できる。４０７又は４２０シフトキーを押した状態で同様のキーを押すとアルファベットの大文字「Ａ」から「Ｚ」まで２６文字が入力できる。
次に４０２−３、４０３−３、４０４−３、４０５−３、４０６−３、４１５−３、４１６−３、４１７−３、４１８−３、４１９−３キーを押すとそれぞれ数字の「１」、「２」、「３」、「４」、「５」、「６」、「７」、「８」、「９」、「０」を入力できる。数字が割当てられていない残りの４０８−３、４０９−３、４１０−３の３個のキーには記号を割当てることができる。４０７又は４２０シフトキーを押した状態で数字キー１０個と４０８−３、４０９−３、４１０−３の３個のキーとを押すと１３個の記号を入力できる。４０７又は４２０シフトキーは位置を移動して小指の代わりに人差し指、中指又は薬指に割り当てることもできる。
アルファベットの大文字入力も前記１３個の記号の入力の場合もシフトキーは文字を入力する方の手とは異なる方の手の小指を使用した方が入力し易い。
この記号キーの内の１文字分を特殊記号の集合の代表キーに指定すると特定の１文字分を入力し、次に引き続いて４０１ジョイキーを繰り返し動かすことにより多数の特殊記号の中の１つを選択し、４０１ジョイキーの中央部を押圧することにより選択した記号の１つを確定することができる。代表キーは１６個まで増加できる。
さらに、右側面の４１２、４１３、４１４キーの９個はアルファベットが割当てられていないので「ＤＥＬ」、「ＢＳ」、「ＲＴ」キーの機能キーや「スペース」、「．」、「，」、「？」、「！」キー等の特に使用頻度の高いキーを割り振ることができる。
この発明の特に優れている特徴はシフトキーの切替無しで１０本の指で少なくともアルファベット２６文字と数字１０文字と機能キーと記号を押すことができるので、シフトキー２個を使い分ければ通常の数字及び記号混じりの英文を作成できる点にある。
本発明により１個のキーの役割が１種類に限定できるので使用する指と文字位置とを記憶し易いので、ブラインドタッチが極端に易しくなる。
その他の使用方法は実施例４と同じであるから説明を省略する。
実施例８
図２７は本発明の両手で保持し両手の指１０本で英語及びその他の言語を文字入力できる携帯電話機の超高速文字入力装置の１例である。
この装置は０１本体、０２ディスプレイ、０３アンテナ、０４スピーカ、０５マイクロホン、左側面は４３２−１、４３２−２、４３２−３のように１行で３列のキーがあり、４３３、４３４、４３５、４３６、４３８、４３９、４４０、４４１、４４２キーもそれぞれ３列あり、計１０行３列で３０個のキーと４３７、４４３シフトキーの２個、右側面は４３１ジョイキーと４４５、４４６、４４７、４４８、４４９、４５０キーが６行３列で計１８個キー、指のホームポジション位置を確認するために２０８フレームに設けられた２０６窪み、指の触覚で指の現在位置を確認するために２０８フレームに設けられた２０７突起、キーを押さない時指を置く２０８フレームより構成されている。右側面の４４４キーの２個は電源キーと通話キーである。
図２８は図２７の携帯電話機に文字を両手１０本の指で入力中の概観図である。
図２８はまた、両手で把持し両手１０本の指を文字入力手段のホームポジションに配置した概観を示している。この把持方法は手の位置が自然の位置にあるのでユーザーの操作時の疲労が非常に少ない。
両手で入力時は図２７の右側面をユーザーの正面に持って来る。０２ディスプレイは図２７の格納状態より１４ヒンジ機構を中心にして９０度回転させると図２８の状態になる。
図２８に示すように、右側面の４３１ジョイキーと４４５、４４６、４４７キーの３行３列９個を右手の親指が担当し、左側面の４３２、４３３キー２行３列６個を右手人差し指、４３４キーの３個を右手中指、４３５キーの３個を右手薬指、４３６キーの３個と４３７シフトキーを右手小指がそれぞれ担当する。
右側面の４４８、４４９、４５０キーの３行３列９個を左手親指が担当し、左側面の４３８、４３９キーの２行３列６個を左手人差し指が担当し、４４０キーの３個を左手中指、４４１キーの３個を左手薬指、４４２キーの３個と４４３シフトキーを左手小指がそれぞれ担当する。
また、図２９は図２７の携帯電話機のキーに「アルファベット」２６文字と「数字」１０文字他を割当てた例である。
アルファベットの小文字「ｃ」を入力する場合は他の指で何のキーも押さない状態で左側面の４５０−２キーを左手親指で１回押せば良い。
また、大文字「Ｃ」を入力する場合は、図２８に示すように右手小指で左側面の４３７シフトキーを押した状態で右側面の４５０−２キーを左手親指で１回押せば良い。
また、アルファベットの小文字「ｒ」を入力する場合は他の指で何のキーも押さない状態で左側面の４３２−２キーを右手人差し指で１回押せば良い。
また、大文字「Ｒ」を入力する場合は、図２８に示すように左手小指で左側面の４４３シフトキーを押した状態で左側面の４３２−２キーを右手人差し指で１回押せば良い。
他の指で何のキーも押さない状態で１０本の指で２６個のキーを押すとアルファベットの小文字「ａ」から「ｚ」まで２６文字を入力できる。４３７又は４４３シフトキーを押した状態で同様のキーを押すとアルファベットの大文字「Ａ」から「Ｚ」まで２６文字が入力できる。
次に４３２−３、４３３−３、４３４−３、４３５−３、４３６−３、４３８−３、４３９−３、４４０−３、４４１−３、４４２−３キーを押すとそれぞれ数字の「１」、「２」、「３」、「４」、「５」、「６」、「７」、「８」、「９」、「０」を入力できる。数字が割当てられていない残りの４４８−３、４４９−３、４５０−３の３個のキーには記号を割当てることができる。４３７又は４４３シフトキーを押した状態で数字キー１０個と４４８−３、４４９−３、４５０−３の３個のキーを押すと１３個の記号を入力できる。４３７又は４４３シフトキーは位置を移動して小指の代わりに人差し指、中指又は薬指に割り当てることもできる。
アルファベットの大文字入力も前記１３個の記号の入力の場合もシフトキーは文字を入力する方の手とは異なる方の手の小指を使用した方が入力し易い。
この記号キーの内の１文字分を特殊記号の集合の代表キーに指定すると特定の１文字分を入力し、次に引き続いて４３１ジョイキーを繰り返し動かすことにより多数の特殊記号の中の１つを選択し、４３１ジョイキーの中央部を押圧することにより選択した記号の１つを確定することができる。代表キーは１６個まで増加できる。
さらに、右側面の４４５、４４６、４４７キーの９個はアルファベットが割当てられていないので「ＤＥＬ」、「ＢＳ」、「ＲＴ」キーの機能キーや「スペース」、「．」、「，」、「？」、「！」キー等の特に使用頻度の高いキーを割り振ることができる。
この発明の特に優れている特徴はシフトキーの切替無しで１０本の指で少なくともアルファベット２６文字と数字１０文字と機能キーと記号を押すことができるので、シフトキー２個を使い分ければ通常の数字及び記号混じりの英文を作成できる点にある。
本発明により１個のキーの役割が１種類に限定できるので使用する指と文字位置とを記憶し易いので、ブラインドタッチが極端に易しくなる。
その他の使用方法は実施例４と同じであるから説明を省略する。
実施例９
図３０は本発明の両手で保持し両手の指１０本で英語及びその他の言語を文字入力できる携帯電話機の超高速文字入力装置の他の１例である。
この携帯電話機の特徴は左右２個の筐体を連結した携帯電話機であり、本のように左右に折り畳むことができる。ディスプレイが左右に計２面あり、一目で多くの文字情報等を認識できる電子手帳兼携帯電話機として文字を高速に入力できる。
この装置は０１本体が左右に２個、０２ディスプレイが左右に２個、０３アンテナ、０４スピーカー、０５マイクロホン、１４ヒンジ機構が上下に２個、１２１バーが４本、１２２バー収納溝が４個、左側の０１本体の左側面に４６２、４６３、４６４キーの３行３列で９個、右側面に４６５、４６６、４６７、４６８、４６９キーの５行３列で１５個と４７０シフトキー、右側の０１本体の左側面に４７１、４７２、４７３、４７４、４７５キーの５行３列で１５個のキーと４７６シフトキー、右側面に４６１ジョイキーと４７８、４７９、４８０キーの３行３列で９個、指のホームポジション位置を確認するために２０８フレームに設けられた２０６窪み、指の触覚で指の現在位置を確認するために２０８フレームに設けられた２０７突起、キーを押さない時指を置く２０８フレームより構成されている。右側面の４７７キーの２個は電源キーと通話キーである。
図３１は図３０の携帯電話機に文字を両手１０本の指で入力中の概観図である。
図３１はまた、両手で保持し両手１０本の指を文字入力手段のホームポジションに配置した概観を示している。
両手入力時以外は左右の０１本体に左右から圧縮するように力を加え、１２１バーが１２２バー収納溝に押し込まれた後、１４ヒンジ機構により図３０の０２ディスプレイ背面同士が向かい合うように折り畳まれる。２個の０２ディスプレイは外側になる。０２ディスプレイ正面同士が向かい合うように折り畳まれてもよい。その場合は０４スピーカーと０５マイクロホンをディスプレイの背面側に付け、同背面側に補助ディスプレイを付けて電話情報に限った情報を表示するようにしても良い。
折り畳まれた時は通常の電話機として使用することもでき、０２ディスプレイに情報を表示でき、片手で情報の受信発信を両手と比べて制限されたキーの機能で果たすことができる。
図３１は図３０の携帯電話機の使用中の外観を示している。４７７キーの２個は電源キーと通話キーである。
図３１に示すように、左側の０１本体の左側面の４６２、４６３、４６４キーの３行３列で９個を左手親指が担当し、右側面の４６５、４６６キーの２行３列で６個を左手人差し指、４６７キーの３個を左手中指、４６８キーの３個を左手薬指、４６９キーの３個と４７０シフトキーを左手小指が担当し、右側の０１本体の左側面の４７１、４７２のキー２行３列で６個を右手人差し指、４７３キーの３個を右手中指、４７４キーの３個を右手薬指、４７５キーの３個と４７６シフトキーを右手小指が担当し、右側面の４６１ジョイキーと４７８、４７９、４８０キーの３行３列で９個を右手親指がそれぞれ担当する。
また、図３２は図３０の携帯電話機のキーに「アルファベット」２６文字と「数字」１０文字他を割当てた例である。
アルファベットの小文字「ｃ」を入力する場合は他の指で何のキーも押さない状態で左側の０１本体の左側面の４６４−２キーを左手親指で１回押せば良い。
また、大文字「Ｃ」を入力する場合は、図３１に示すように右手小指で右側の０１本体の左側面の４７６シフトキーを押した状態で左側の０１本体の左側面の４６４−２キーを左手親指で１回押せば良い。
また、アルファベットの小文字「ｒ」を入力する場合は他の指で何のキーも押さない状態で右側の０１本体の左側面の４７１−２キーを右手人差し指で１回押せば良い。
また、大文字「Ｒ」を入力する場合は、図３１に示すように左手小指で左側の０１本体の右側面の４７０シフトキーを押した状態で右側の０１本体の左側面の４７１−２キーを右手人差し指で１回押せば良い。
他の指で何のキーも押さない状態で１０本の指で２６個のキーを押すとアルファベットの小文字「ａ」から「ｚ」まで２６文字を入力できる。４７０又は４７６シフトキーを押した状態で同様のキーを押すとアルファベットの大文字「Ａ」から「Ｚ」まで２６文字が入力できる。
次に４６５−３、４６６−３、４６７−３、４６８−３、４６９−３、４７１−３、４７２−３、４７３−３、４７４−３、４７５−３キーを押すとそれぞれ数字の「１」、「２」、「３」、「４」、「５」、「６」、「７」、「８」、「９］、「０」を入力できる。
数字が割当てられていない残りの４６２−３、４６３−３、４６４−３の３個のキーには記号を割当てることができる。４７０又は４７６シフトキーを押した状態で数字キー１０個と４６２−３、４６３−３、４６４−３キーの３個のキーを押すと１３個の記号を入力できる。４７０又は４７６シフトキーは位置を移動して小指の代わりに人差し指、中指又は薬指に割り当てることもできる。
アルファベットの大文字入力も前記１３個の記号の入力の場合もシフトキーは文字を入力する方の手とは異なる方の手の小指を使用した方が入力し易い。
この記号キーの内の１文字分を特殊記号の集合の代表キーに指定すると特定の１文字分を入力し、次に引き続いて４６１ジョイキーを繰り返し動かすことにより多数の特殊記号の中の１つを選択し、４６１ジョイキーの中央部を押圧することにより選択した記号の１つを確定することができる。代表キーは１６個まで増加できる。
さらに、右側面の４７８、４７９、４８０キーの９個はアルファベットが割当てられていないので「ＤＥＬ」、「ＢＳ」、「ＲＴ」キーの機能キーや「スペース」、「．」、「，」、「？」、「！」キー等の特に使用頻度の高いキーを割り振ることができる。
この発明の特に優れている特徴はシフトキーの切替無しで１０本の指で少なくともアルファベット２６文字と数字１０文字と機能キーと記号を押すことができるので、シフトキー２個を使い分ければ通常の数字及び記号混じりの英文を作成できる点にある。
本発明により１個のキーの役割が１種類に限定できるので使用する指と文字位置とを記憶し易いので、ブラインドタッチが極端に易しくなる。
その他の使用方法は実施例４と同じであるから説明を省略する。
実施例１０
図３３は本発明の自動車に乗車中に運転席で通信するため、自動車のハンドルに装備された、両手で掴み両手の指１０本で英語及びその他の国語を文字入力できる通信装置の１例である。図３３は該ハンドルを自動車直進時のハンドル角度の状態を示したものである。
この装置は２０ハンドル、０２ディスプレイ、２０ハンドルの左側の左手人差し指、中指、薬指、小指で掴むハンドル表面に３０２−１、３０２−２キーのように１行で２列のキーがあり、３０３、３０４、３０５、３０６キー、左手の親指で掴むハンドル表面に３０７、３０８、３０９キーがそれぞれ２列あり、計８行２列で１６個のキー、また、２０ハンドルの右側の右手人差し指、中指、薬指、小指で掴むハンドル表面に３１０、３１１、３１２、３１３、３１４キー、右手の親指で掴むハンドル表面に３０１ジョイキーと３１８、３１５、３１６、３１７キーがそれぞれ２列あり、計９行２列で１８個のキー、２０１指、指のホームポジション位置を確認するために３１９フレームに設けられた２０６窪み、指の触覚で指の現在位置を確認するためにフレームに設けられた２０７突起、キーを押さない時指を置く３１９フレームより構成されている。親指と他の４本の指との間で挟んでハンドルを掴むので、親指の担当するキーの位置と他の４本の指が担当するキーの位置とは互いにハンドルの被把持部分の概略反対側面となる。
図３４は図３３の通信装置に文字を両手１０本の指で入力中の概観図である。
図３４はまた、両手で把持し両手１０本の指を文字入力手段のホームポジションに配置した概観を示している。両手共に親指と他の残りの４本の指との間でハンドルの被把持部分を挟んで把持し、運転席近傍に備えられた０２ディスプレイを見ながらキー入力する。３１８キーの２個は電源キーと通話キーである。
図３４に示すように、２０ハンドルの右側の３０１ジョイキーと３１８、３１５、３１６、３１７キーの４行２列８個を右手の親指が担当し、同ハンドルの右側の３１０、３１１キーの２行２列４個を右手人差し指、３１２キーの２個を右手中指、３１３キーの２個を右手薬指、３１４キーの２個を右手小指がそれぞれ担当する。
また、２０ハンドルの左側の３０７、３０８、３０９キーの３行２列６個を左手の親指が担当し、同ハンドルの左側の３０２、３０３キーの２行２列４個を左手人差し指、３０４キーの２個を左手中指、３０５キーの２個を左手薬指、３０６キーの２個を左手小指がそれぞれ担当する。
また、図３５は図３３の通信装置のキーに「アルファベット」２６文字と「数字」１０文字他を割当てた例である。
アルファベットの小文字「ｃ」を入力する場合は他の指で何のキーも押さない状態で左側の３０９−２キーを左手親指で１回押せば良い。
また、大文字「Ｃ」を入力する場合は、図３３に示すように右手親指で右側の３１５−２シフトキーを押した状態で左側の３０９−２キーを左手親指で１回押せばよい。
また、アルファベットの小文字「ｒ」を入力する場合は他の指で何のキーも押さない状態で右側の３１０−２キーを右手人差し指で１回押せば良い。
また、大文字「Ｒ」を入力する場合は、図３３に示すように右手親指で右側の３１５−２シフトキーを押した状態で右側の３１０−２キーを右手人差し指で１回押せばよい。
他の指で何のキーも押さない状態で９本の指で２６個のキーを押すとアルファベットの小文字「ａ」から「ｚ」までのいずれの２６文字も入力できる。右手親指で右側の３１５−２シフトキーを押した状態で同様のキーを押すとアルファベットの大文字「Ａ」から「Ｚ」までのいずれの２６文字も入力できる。
次に３１５−１シフトキーを押した状態で３０２−２、３０３−２、３０４−２、３０５−２、３０６−２、３１０−２、３１１−２、３１２−２、３１３−２、３１４−２キーを押すとそれぞれ数字の「１」、「２」、「３」、「４」、「５」、「６」、「７」、「８」、「９」、「０」を入力できる。
数字が割当てられていない残りの１６個のキーには記号を割当てることができる。
さらに、右側面の３１６、３１７キーの４個はアルファベットが割当てられていないので「ＤＥＬ」キーの機能キーや「スペース」、「．」、「，」キー等の特に使用頻度の高いキーを割り振ることができる。
この発明の特に優れている特徴はシフトキーの切替無しで１０本の指で少なくとも２６個のキーを押すことができるので、アルファベットの２６文字のいずれの１文字も１回のキー押圧動作で入力できるという点にある。シフトキー２個を使い分ければ通常の数字及び記号混じりの英文を作成できる。
本発明により１個のキーの役割が２種類（アルファベットと数字・記号）に限定できるので使用する指と文字位置とを記憶し易いので、ブラインドタッチが極端に易しくなる。
日本語入力において、ローマ字入力を選択して入力したい場合は、３０１ジョイキーでモードを変えて、アルファベット２６字を割り振られているキーを押すとアルファベットは自動的に「ひらがな」に変換される。そして３０１ジョイキーにより漢字又はカタカナに変換し、目的の文字を確定することができる。これは押下するキーの配置位置が異なるだけで机上のパーソナルコンピューターで従来より使用している「日本語のローマ字入力」と使い方は基本的には同じである。
「日本語のローマ字入力」とアジアの中国語、韓国語も使い方は基本的には実施例４と全く同じであるから説明は省略する。
図３３のＸ−Ｘ断面とＹ視に示しているのは２列の隣り合ったキーに入力誤り無く文字を入力できるように工夫した発明である。
図３３のＸ−Ｘ断面は２０１指、３１９フレーム、３０８−１、３０８−２キー及び２０ハンドルより構成されている。
Ｘ−Ｘ断面に示しているのは隣り合った３０８−１、３０８−２キーの間にキーより高さが高い３１９フレームを設けてある。反対側面のキー操作で押す力の反力を指で受け持つために指を置くためのフレームである。３１９フレーム上に２０１指を置いておくと反対側面のキー操作力の反力を３１９フレーム上の２０１指で受け持っても誤って不要な３０８−１、３０８−２キーを押さないように３０８−１、３０８−２キーの高さより３１９フレームの高さを高くしてある。３１９フレームに２０１指を置いた位置より２０１指を移動せずに隣り合った３０８−１、３０８−２キーのいずれも押圧することができる。
また、ブラインドタッチで入力するので指のホームポジションを確認するために図３３の２０７黒丸印に示すフレームの特定の場所の表面に指の触覚で確認できる突起が付けてある。
また、ブラインドタッチで入力するので指のホームポジションを確認するために図３３のＹ視に示すように、３１９フレームの表面に少なくとも１０本の指のホームポジションに、指が入る２０６窪みを設けて、ユーザーの１０本の指が窪みを触覚によって感知し、該１０本の指をホームポジションに誘導することができるようになっている。
図３３は通信装置において、キーに対応した入力文字を案内するために、通信装置の本体正面に、キーに対応する入力文字を常時印字表示したものである。本発明の通信装置の文字入力時に便利である。
図３４は図３３の通信装置において、親指が選択したシフトキーの状態に対応した入力文字を案内するために、通信装置のディスプレイに親指が選択したキーに対応する入力文字を表示している。例えば図３４のように表示された状態でハンドル右側の裏側の一番上の３１０−１キーを押すとディスプレイの一番上の右側の文字「Ｇ」を入力できる。別のシフトキーを選択するとそれに応じてディスプレイに表示される文字内容も変わる。
本発明はハンドル素材に文字入力手段（ジョイスティックとキー）を直接埋め込んで製作する必要は無く、文字入力手段をハンドルとは別に独立して製作し、本装置を未装備の自動車のハンドルに被せて取り付けることもできる。そうすると文字入力手段が故障した時は文字入力手段のみを取り外して容易に交換することもできる。
実施例１１
図３６は本発明の両手で把持し両手の指１０本で英語及びその他の言語を文字入力できる携帯電話機の超高速文字入力装置の１例である。
この装置は０１本体、０２ディスプレイ、０３アンテナ、０４スピーカ、０５マイクロホン、２５光発信器、左側面は５３２−１、５３２−２のように１行で２列のキーがあり、５３３、５３４、５３５、５３６、５３７、５３８、５３９もそれぞれ２列あり、計８行２列で１６個のキー、右側面は５３１ジョイキーと５４０、５４１、５４２、５４３、５４４、５４５、５４６、５４７、５４８キーが９行２列で計１８個と２０１指、指のホームポジション位置を確認するために２０８フレームに設けられた２０６窪み、指の触覚で指の現在位置を確認するためにフレームに設けられた２０７突起、キーを押さない時指を置く２０８フレームより構成されている。
図３７は図３６の携帯電話機に文字を両手１０本の指で入力中の概観図である。
図３７はまた、両手で把持し両手１０本の指を文字入力手段のホームポジションに配置した概観を示している。５４０キーの２個は電源キーと通話キーである。
図３７に示すように、右側面の５３１ジョイキーと５４１、５４２、５４３キーの３行２列６個を右手の親指が担当し、左側面の５３２、５３３キーの２行２列４個を右手人差し指、５３４キーの２個を右手中指、５３５キーの２個を右手薬指、５３６キーの２個を右手小指がそれぞれ担当する。
左側面の５３７、５３８、５３９キーの３行２列６個を左手親指が担当し、右側面の５４４、５４５キーの２行２列４個を左手人差し指が担当し、５４６キーの２個を左手中指、５４７キーの２個を左手薬指、５４８キーの２個を左手小指がそれぞれ担当する。
また、図３８は図３６の携帯電話機のキーに「アルファベット」２６文字と「数字」１０文字他を割当てた例の一部である。
アルファベットの小文字「ｃ」を入力する場合は他の指で何のキーも押さない状態で左側面の５３９−２キーを左手親指で１回押せば良い。
また、大文字「Ｃ」を入力する場合は、図３７に示すように右手親指で右側面の５４１−２シフトキーを押した状態で左側面の５３９−２キーを左手親指で１回押せばよい。
また、アルファベットの小文字「ｒ」を入力する場合は他の指で何のキーも押さない状態で左側面の５３２−２キーを右手人差し指で１回押せば良い。
また、大文字「Ｒ」を入力する場合は、図３７に示すように右手親指で右側面の５４１−２シフトキーを押した状態で左側面の５３２−２キーを右手人差し指で１回押せばよい。
他の指で何のキーも押さない状態で１０本の指で２６個のキーを押すとアルファベットの小文字「ａ」から「ｚ」まで２６文字を入力できる。５４１−２シフトキーを押した状態で同様のキーを押すとアルファベットの大文字「Ａ」から「Ｚ」まで２６文字が入力できる。
次に５４１−１シフトキーを押した状態で５３２−２、５３３−２、５３４−２、５３５−２、５３６−２、５４４−２、５４５−２、５４６−２、５４７−２、５４８−２キーを押すとそれぞれ数字の「１」、「２」、「３」、「４」、「５」、「６」、「７」、「８」、「９」、「０」を入力できる。
数字が割当てられていない残りの１６個のキーには記号を割当てることができる。この記号キーの内の１文字分を特殊記号の集合の代表キーに指定すると特定の１文字分を入力し、次に引き続いて５３１ジョイキーを繰り返し動かすことにより多数の特殊記号の中の１つを選択し、５３１ジョイキーの中央部を押圧することにより選択した記号の１つを確定することができる。代表キーは１６個まで増加できる。
さらに、右側面の５４２、５４３キーの４個はアルファベットが割当てられていないので「ＤＥＬ」キーの機能キーや「スペース」、「．」、「，」キーの特に使用頻度の高いキーを割り振ることができる。
その他の使用方法は実施例４と同じであるから説明を省略する。
０２ディスプレイ、０４スピーカ、０５マイクロホンをこの携帯電話機から省いた本発明の通信装置を説明する。
本発明の通信装置より、ユーザーがユーザーの視界の範囲内に通信装置本体とは別に備えられた外部ディスプレイ（自動車の運転席のディスプレイ、テレビ画面や屋外の大型表示画面等）を見ながら文字入力し、０３アンテナ又は２５光発信器を介して電波又は光で情報を発信し、外部ディスプレイ部でその情報を受信することにより、外部ディスプレイを含む外部装置をリアルタイムに遠隔制御することができる。
実施例１２
図３９は本発明の両手で把持し両手の指１０本で英語及びその他の言語を文字入力できる携帯電話機の超高速文字入力装置の１例である。
この装置は０１本体、０２ディスプレイ、０３アンテナ、０４スピーカ、０５マイクロホン、１４ヒンジ機構、２５光発信器、左側面は５６２−１、５６２−２のように１行で２列のキーがあり、５６３、５６４、５６５、５６６、５６７、５６８、５６９、５７０、５７１キーもそれぞれ２列あり、計１０行２列で２０個のキー、右側面は５６１ジョイキーと５７２、５７３、５７４、５７５、５７６、５７７、５７８キーが７行２列で計１４個と２０１指、指のホームポジション位置を確認するために２０８フレームに設けられた２０６窪み、指の触覚で指の現在位置を確認するために２０８フレームに設けられた２０７突起、キーを押さない時指を置く２０８フレームより構成されている。
図４０は図３９の携帯電話機に文字を両手１０本の指で入力中の概観図である。
図４０はまた、両手で把持し両手１０本の指を文字入力手段のホームポジションに配置した概観を示している。この把持方法は手の位置が自然の位置にあるのでユーザーの操作時の疲労が非常に少ない。
両手で入力時は図３９の右側面をユーザーの正面に持って来る。０２ディスプレイは図３９の格納状態より１４ヒンジ機構を中心にして９０度回転させると図４０の状態になる。５７２キーの２個は電源キーと通話キーである。
図４０に示すように、右側面の５６１ジョイキーと５７３、５７４、５７５キーの３行２列６個を右手の親指が担当し、５７６、５７７、５７８キーの３行２列６個を左手の親指が担当する。
左側面の５６２、５６３キーの２行２列４個を右手人差し指、５６４キーの２個を右手中指、５６５キーの２個を右手薬指、５６６キーの２個を右手小指がそれぞれ担当する。
左側面の５６７、５６８キーの２行２列４個を左手人差し指が担当し、５６９キーの２個を左手中指、５７０キーの２個を左手薬指、５７１キーの２個を左手小指がそれぞれ担当する。
また、図４１は図３９の携帯電話機のキーに「アルファベット」２６文字と「数字」１０文字他を割当てた例の一部である。
アルファベットの小文字「ｃ」を入力する場合は他の指で何のキーも押さない状態で右側面の５７８−２キーを左手親指で１回押せば良い。
また、大文字「Ｃ」を入力する場合は、図４０に示すように右手親指で右側面の５７３−２シフトキーを押した状態で右側面の５７８−２キーを左手親指で１回押せば良い。
また、アルファベットの小文字「ｒ」を入力する場合は他の指で何のキーも押さない状態で左側面の５６２−２キーを右手人差し指で１回押せば良い。
また、大文字「Ｒ」を入力する場合は、図４０に示すように右手親指で右側面の５７３−２シフトキーを押した状態で左側面の５６２−２キーを右手人差し指で１回押せばよい。
他の指で何のキーも押さない状態で１０本の指で２６個のキーを押すとアルファベットの小文字「ａ」から「ｚ」まで２６文字を入力できる。５７３−２シフトキーを押した状態で同様のキーを押すとアルファベットの大文字「Ａ」から「Ｚ」まで２６文字が入力できる。
次に５７３−１シフトキーを押した状態で５６２−２、５６３−２、５６４−２、５６５−２、５６６−２、５６７−２、５６８−２、５６９−２、５７０−２、５７１−２キーを押すとそれぞれ数字の「１」、「２」、「３」、「４」、「５」、「６」、「７」、「８」、「９」、「０」を入力できる。
さらに、右側面の５７４、５７５キーの４個はアルファベットが割当てられていないので「ＤＥＬ」キーの機能キーや「スペース」、「．」、「，」キーの特に使用頻度の高いキーを割り振ることができる。
その他の使用方法は実施例４と同じであるから説明を省略する。
０２ディスプレイ、０４スピーカ、０５マイクロホン、１４ヒンジ機構をこの携帯電話機から省いた本発明の通信装置を説明する。
本発明の通信装置より、ユーザーがユーザーの視界の範囲内に通信装置本体とは別に備えられた外部ディスプレイ（自動車の運転席のディスプレイ、テレビ画面や屋外の大型表示画面等）を見ながら文字入力し、０３アンテナ又は２５光発信器を介して電波又は光で情報を発信し、外部ディスプレイ部でその情報を受信することにより、外部ディスプレイを含む外部装置をリアルタイムに遠隔制御することができる。
産業上の利用可能性
本発明は携帯電話機のキーを上記のように配置して、両手の指１０本を全て使用すると、従来のような親指１本に比べて文字入力速度は約５倍に速度を増すことになる。しかも本発明は、ひらがな約４８字を１回の押下動作で入力できるので、ブラインドタッチができるまでの訓練期間がはるかに少ない。
ブラインドタッチができると、文字入力速度はさらに速度を増すことになる。
また、ディスプレイを携帯電話機正面全面に拡大できるので多くの情報を表示できる。
本発明により携帯電話機の文字入力速度は机上のパーソナルコンピューターの文字入力速度に匹敵するようになり、携帯電話機の通信手段としての新たな革新的分野が開ける。
本発明により、モードキー等で入力条件を変えないでひらがな約４８文字のいずれの１文字も両手の指のうちのいずれかの１本の指の１回のキー押圧動作で入力できるので、ユーザーの入力間違いが格段に減少する。そしてキー１個に主として１つのひらがな文字とアルファベット・数字しか与えられていないので、指が文字キーの種類を認識し易い。
このような理由によりユーザーの疲労度が大きく軽減される。
本発明はやむを得ず片手しか使えない時、片手で保持し同じ方の手の指で操作して文字入力もでき、速度を従来より約２倍に速くできる。
また、自動車に装備された通信装置は将来の自動車の走行時にハンドルの操縦の不要な自動追従装置装備時や停車中の運転の安全性に影響の無い時間帯に外部との情報の送信受信に時間を有効に活用することができる。
携帯電話でメール通信を行う人々は世界中で５億人を超すと予想されることから、本発明の携帯電話機の文字入力装置は産業上の利用可能性がある。
【図面の簡単な説明】
図１は従来の携帯電話機の文字入力装置の正面図である。
図２は従来の折り畳み型携帯電話機の文字入力装置の正面図である。
図３は図１の従来の携帯電話機に文字を入力中の外観図である。
図４は本発明の両手で保持し両手の指で文字入力する携帯電話機の１例である。
図５は図４の携帯電話機に文字を入力中の概観図である。
図６は図４の携帯電話機を本発明の片手モードで使用している図である。
図７は本発明の両手で保持し両手の指１０本で文字入力する携帯電話機の超高速文字入力装置で手の疲労が少ない他の１例である。
図８は図７の携帯電話機に文字を入力中の概観図である。
図９は図７の携帯電話機を本発明の片手モードで使用している図である。
図１０は本発明の両手で保持し両手の指１０本で文字入力する手帳型携帯電話機の超高速文字入力装置の他の１例である。
図１１は図１０の携帯電話機に文字を両手１０本の指で入力中の概観図である。
図１２は図４の携帯電話機のキーに本発明の思想で文字を割当てたキー図である。
図１３は図７の携帯電話機のキーに本発明の思想で文字を割当てたキー図である。
図１４は図１０の携帯電話機のキーに本発明の思想で文字を割当てたキー図である。
図１５は本発明の両手で保持し両手の指１０本で文字入力する携帯電話機の超高速文字入力装置の１例である。
図１６は図１５の携帯電話機に文字を入力中の概観図である。
図１７は図１５の携帯電話機のキーに本発明の思想で文字を割当てた図である。
図１８は本発明の両手で把持し両手の指１０本で文字入力する携帯電話機の超高速文字入力装置で手の疲労が少ない他の１例である。
図１９は図１８の携帯電話機に文字を入力中の概観図である。
図２０は図１８の携帯電話機のキーに本発明の思想で文字を割当てた図である。
図２１は本発明の両手で保持し両手の指１０本で文字入力する携帯電話機の超高速文字入力装置の１例である。
図２２は図２１の携帯電話機に文字を入力中の概観図である。
図２３は図２１の携帯電話機のキーに本発明の思想で文字を割当てた図である。
図２４は本発明の両手で保持し両手の指１０本で文字入力する携帯電話機の超高速文字入力装置の１例である。
図２５は図２４の携帯電話機に文字を入力中の概観図である。
図２６は図２４の携帯電話機のキーに本発明の思想で文字を割当てた図である。
図２７は本発明の両手で把持し両手の指１０本で文字入力する携帯電話機の超高速文字入力装置で手の疲労が少ない他の１例である。
図２８は図２７の携帯電話機に文字を入力中の概観図である。
図２９は図２７の携帯電話機のキーに本発明の思想で文字を割当てた図である。
図３０は本発明の両手で保持し両手の指１０本で文字入力する携帯電話機の超高速文字入力装置の１例である。
図３１は図３０の携帯電話機に文字を入力中の概観図である。
図３２は図３０の携帯電話機のキーに本発明の思想で文字を割当てた図である。
図３３は本発明の自動車に装備した両手で保持し両手の指１０本で文字入力する通信装置の超高速文字入力装置の１例である。
図３４は図３３の通信装置に文字を入力中の概観図である。
図３５は図３３の通信装置のキーに本発明の思想で文字を割当てた図である。
図３６は本発明の両手で保持し両手の指１０本で文字入力する携帯電話機の超高速文字入力装置の１例である。
図３７は図３６の携帯電話機に文字を入力中の概観図である。
図３８は図３６の携帯電話機のキーに本発明の思想で文字を割当てた図である。
図３９は本発明の両手で把持し両手の指１０本で文字入力する携帯電話機の超高速文字入力装置で手の疲労が少ない他の１例である。
図４０は図３９の携帯電話機に文字を入力中の概観図である。
図４１は図３９の携帯電話機のキーに本発明の思想で文字を割当てた図である。
【図１】
2003042803.tif 000003
【図２】
2003042803.tif 000004
【図３】
2003042803.tif 000005
【図４】
2003042803.tif 000006
【図５】
2003042803.tif 000007
【図６】
2003042803.tif 000008
【図７】
2003042803.tif 000009
【図８】
2003042803.tif 000010
【図９】
2003042803.tif 000011
【図１０】
2003042803.tif 000012
【図１１】
2003042803.tif 000013
【図１２】
2003042803.tif 000014
【図１３】
2003042803.tif 000015
【図１４】
2003042803.tif 000016
【図１５】
2003042803.tif 000017
【図１６】
2003042803.tif 000018
【図１７】
2003042803.tif 000019
【図１８】
2003042803.tif 000020
【図１９】
2003042803.tif 000021
【図２０】
2003042803.tif 000022
【図２１】
2003042803.tif 000023
【図２２】
2003042803.tif 000024
【図２３】
2003042803.tif 000025
【図２４】
2003042803.tif 000026
【図２５】
2003042803.tif 000027
【図２６】
2003042803.tif 000028
【図２７】
2003042803.tif 000029
【図２８】
2003042803.tif 000030
【図２９】
2003042803.tif 000031
【図３０】
2003042803.tif 000032
【図３１】
2003042803.tif 000033
【図３２】
2003042803.tif 000034
【図３３】
2003042803.tif 000035
【図３４】
2003042803.tif 000036
【図３５】
2003042803.tif 000037
【図３６】
2003042803.tif 000038
【図３７】
2003042803.tif 000039
【図３８】
2003042803.tif 000040
【図３９】
2003042803.tif 000041
【図４０】
2003042803.tif 000042
【図４１】
2003042803.tif 000043
【国際公開パンフレット（コレクトバージョン）】
2003042803.tif 000044
2003042803.tif 000045
【手続補正書】
【提出日】平成15年11月20日(2003.11.20)
【手続補正１】
【補正対象書類名】明細書
【補正対象項目名】特許請求の範囲
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【請求項１６】
（削除）
【請求項１７】
（削除）
【請求項１８】
（削除）
【請求項１９】
（削除）
【請求項２０】
（削除）
【請求項２１】
（削除）
【請求項２２】
（削除）
【請求項２３】
（削除）
【請求項２４】
（削除）
【請求項２５】
（削除）
【請求項２６】
携帯電話機とＰＤＡ機器（以下請求項３１まで携帯電話機とＰＤＡ機器を「携帯電話機」と呼称）であって、携帯電話機本体を両手で把持するもので、概略直方体の形状を持つ携帯電話機本体の最も長い稜線を含む幅の狭い方の両面に合計で少なくとも１組のジョイキー又はジョイスティック又は矢印キー又はその役目を果たす歯車式又はボール回転式等の入力手段（以下請求項３１まで、ジョイキー又はジョイスティック又は矢印キー又はその役目を果たす歯車式又はボール回転式等の入力手段を「ジョイスティック」と呼称）と少なくとも２６個のキーとが備えられている携帯電話機で、両手共に親指と他の残りの４本の指との間で携帯電話機を挟んで把持し、概略直方体の携帯電話機本体の最も長い稜線を含む幅の広い面に装備したディスプレイの全面をユーザー顔面の概略正面に見ながら、該幅の広い面をユーザー顔面の概略正面に向け、該幅の広い面の長手方向を前歯と眉間とを結んだ直線に概略平行に置き、ジョイスティックがある片面に一方の手の親指と他方の手の人差し指、中指、薬指、小指を配置し、他の片面に他方の手の親指と一方の手の人差し指、中指、薬指、小指を配置し、両手１０本の指で入力するもので、一方の手の親指と他方の手の人差し指とが、他方の手の親指と一方の手の小指とが接近するように、又は一方の手の親指と他方の手の小指とが、他方の手の親指と一方の手の人差し指とが接近するように、両手をずらして、両手の平がユーザー顔面の方を向くようにして携帯電話機を把持し、両手１０本の指を常時ジョイスティックとキー（以下請求項３１まで、ジョイスティックとキーを「文字入力手段」と呼称）に配置するもので、シフトキー等の条件の切替無しで両手の指のうちのいずれか１本の１回の押圧動作で少なくともアルファベット２６文字又は他の種類の少なくとも２６文字のいずれの１文字も入力できることを特徴とする携帯電話機。
【請求項２７】
携帯電話機であって、携帯電話機本体を両手で把持するもので、概略直方体の形状を持つ携帯電話機本体の最も長い稜線を含む幅の狭い方の両面に合計で少なくとも１組のジョイスティックと少なくとも２６個のキーが備えられている携帯電話機で、両手共に親指と他の残りの４本の指との間で携帯電話機を挟んで把持し、概略直方体の携帯電話機本体の最も長い稜線を含む幅の狭い方の片面をユーザー顔面の正面に位置させ、その面の長手方向を前歯と眉間とを結んだ直線に概略平行に置き、収納時より概略９０度回転したディスプレイの全面をユーザー顔面の概略正面に見ながら、両手１０本の指で入力するもので、両手の親指の爪の平たい面と残りの８本の指の腹面（爪の平たい面の正反対側）とが概略ユーザー顔面の方を向き、一方の手の小指の爪の側部と他方の手の人差し指の爪の側部が接近するように両手をずらして、両手の平が該電話機本体の最も広い面の両面に互いに向かい合うようにして携帯電話機を把持し、両手１０本の指を常時文字入力手段に配置するもので、シフトキー等の条件の切替無しで両手の指のうちのいずれか１本の１回の押圧動作で少なくともアルファベット２６文字又は少なくとも他の種類の２６文字のいずれの１文字も入力できることを特徴とする携帯電話機。
【請求項２８】
通信装置本体を両手で把持するもので、概略直方体の形状を持つ通信装置本体の最も長い稜線を含む幅の狭い方の両面に合計で少なくとも１組のジョイスティックと少なくとも２６個のキーとが備えられている通信装置で、両手共に親指と他の残りの４本の指との間で通信装置を挟んで把持し、概略直方体の通信装置本体の最も長い稜線を含む幅の広い面の表側を上に向け、ユーザーの視界の範囲内に通信装置本体とは別に備えられたディスプレイを見ながら、該幅の広い面の長手方向をユーザーの体と該ディスプレイとを結んだ直線に概略平行に持ち、ジョイスティックがある片面に一方の手の親指と他方の手の人差し指、中指、薬指、小指を配置し、他の片面に他方の手の親指と一方の手の人差し指、中指、薬指、小指を配置し、両手１０本の指で入力するもので、一方の手の親指と他方の手の人差し指とが、他方の手の親指と一方の手の小指とが接近するように、又は一方の手の親指と他方の手の小指とが、他方の手の親指と一方の手の人差し指とが接近するように、両手をずらして、両手の平が通信装置本体の裏側と向かい合うようにして通信装置本体を把持し、両手１０本の指を常時文字入力手段に配置するもので、シフトキー等の条件の切替無しで両手の指のうちのいずれか１本の１回の押圧動作で少なくともアルファベット２６文字又は他の種類の少なくとも２６文字のいずれの１文字も入力できることを特徴とする通信装置。
【請求項２９】
通信装置本体を両手で把持するもので、概略直方体の形状を持つ通信装置本体の最も長い稜線を含む幅の狭い方の両面に合計で少なくとも１組のジョイスティックと少なくとも２６個のキーが備えられている通信装置で、ユーザーの視界の範囲内に通信装置本体とは別に備えられたディスプレイを見ながら、両手共に親指と他の残りの４本の指との間で通信装置を挟んで把持し、概略直方体の通信装置本体の最も長い稜線を含む幅の狭い方のジョイスティックがある片面を上に向け、その面の長手方向をユーザーの体と該ディスプレイとを結んだ直線に概略平行に持ち、両手１０本の指で入力するもので、両手の親指の爪の平たい面と残りの８本の指の腹面（爪の平たい面の正反対側）とが概略上を向き、一方の手の小指の爪の側部と他方の手の人差し指の爪の側部が接近するように両手をずらして、両手の平が該通信装置本体の最も広い面の両面に互いに向かい合うようにして通信装置を把持し、両手１０本の指を常時文字入力手段に配置するもので、シフトキー等の条件の切替無しで両手の指のうちのいずれか１本の１回の押圧動作で少なくともアルファベット２６文字又は少なくとも他の種類の２６文字のいずれの１文字も入力できることを特徴とする通信装置。
【請求項３０】
自動車に乗車中に運転席で通信するため、自動車のハンドルに装備された文字入力装置で、該ハンドルを両手で掴むもので、該ハンドルを自動車直進時のハンドル角度において、該ハンドルの左部分の被把持部分の左手親指の腹部分（爪の平たい部分の反対側）が接触する表面に少なくとも３行２列６個のキーと該ハンドルの左部分の被把持部分の左手人差し指、中指、薬指、小指の腹部分（爪の平たい部分の反対側）が接触する表面に少なくとも５行２列１０個のキーとが、該ハンドルの右部分の被把持部分の右手親指腹部分（爪の平たい部分の反対側）が接触する表面に少なくとも１組のジョイスティックと少なくともシフトキー２個を含む少なくとも３行２列６個のキーと該ハンドルの右部分の被把持部分の右手人差し指、中指、薬指、小指の腹部分（爪の平たい部分の反対側）が接触する表面に少なくとも５行２列１０個のキーが備えられている文字入力装置で、両手共に親指と他の残りの４本の指との間でハンドルの被把持部分を挟んで把持し、該ハンドル正面をユーザーの概略正面に位置させ、運転席近傍に備えられたディスプレイを見ながら両手１０本の指で入力するもので、両手１０本の指を常時文字入力手段に配置し、シフトキー等の条件の切替無しで両手の指のうちのいずれか１本の１回の押圧動作で少なくともアルファベット２６文字又は他の種類の少なくとも２６文字のいずれの１文字も入力でき、シフトキーを使用することにより前記２６文字とは別の新たな少なくとも２６字と少なくとも数字１０文字を入力できることを特徴とする通信装置。
【請求項３１】
前記請求項３０に記載の通信装置において、前記文字入力手段のみを運転のためのハンドル本体とは独立し、該文字入力手段を該ハンドル本体表面に付加装備し、該文字入力手段を取り付け及び取り外しを可能にした通信装置。
【請求項３２】
（削除）
【請求項３３】
（削除）
【請求項３４】
（削除）
【請求項３５】
（削除）
【請求項３６】
（削除）
【請求項３７】
前記請求項２６より３０に記載のいずれか１つにおいて、隣り合った２個のキーの代わりに２方向ジョイキーで置き換えたことを特徴とする携帯電話機又は通信装置。
【請求項３８】
（削除）
【国際調査報告】
2003042803.tif 000046
2003042803.tif 000047